(57)【特許請求の範囲】
【請求項１】
操作者によってインターネット上のコンテンツの閲覧が行われる閲覧端末と、データベースとを備え、
前記閲覧端末で閲覧された前記コンテンツの情報を取得するコンテンツ情報取得手段と、
前記コンテンツ情報取得手段で取得された情報に基づき前記コンテンツの特徴を表す特徴語を抽出する特徴語抽出手段と
を具備し、
前記データベースは、
該操作者に推薦するインターネット上のコンテンツであるお勧めコンテンツを前記特徴語抽出手段で抽出された特徴語に基づいて決定するお勧めコンテンツ決定手段
を有し、
前記お勧めコンテンツ決定手段で決定されたお勧めコンテンツのＵＲＬを該操作者に対応して記憶するＵＲＬ記憶手段と、
前記ＵＲＬ記憶手段で記憶されるＵＲＬで接続される前記コンテンツの更新を確認する更新確認手段と
を具備し、
前記更新確認手段は、前記閲覧端末のログイン状況を確認して、前記操作者がログインしている場合には、該操作者に対応する前記コンテンツの更新を確認する頻度を増やし、前記操作者がログインしていない場合には、該操作者に対応する前記コンテンツの更新を確認する頻度を減らす、若しくは、更新を確認しないコンテンツ自動更新システム。
【請求項２】
前記コンテンツ情報取得手段は、
前記閲覧端末で閲覧された前記コンテンツのタイトル或いは前記コンテンツの本文を取得し、
前記特徴語抽出手段は、
該タイトル或いは該本文に基づき前記特徴語を抽出する
請求項１に記載のコンテンツ自動更新システム。
【請求項３】
前記データベースは、
前記特徴語に対応する前記コンテンツを予め記憶する記憶手段
を有し、
前記お勧めコンテンツ決定手段は、
前記特徴語抽出手段で抽出された特徴語に対応する前記コンテンツを前記記憶手段から選択することでお勧めコンテンツを決定する
請求項１または２に記載のコンテンツ自動更新システム。
【請求項４】
前記記憶手段は、
前記特徴語に対応する複数の前記コンテンツを記憶する
請求項３に記載のコンテンツ自動更新システム。
【請求項５】
前記記憶手段は、
複数の前記特徴語に対応する前記コンテンツを記憶する
請求項３または４に記載のコンテンツ自動更新システム。
【請求項６】
印刷が行なわれる画像形成装置を
更に備え、
前記閲覧端末は、
前記操作者によって閲覧された前記コンテンツを印刷する印刷データと該操作者の識別情報とを前記画像形成装置に送信する印刷データ送信手段
を有し、
前記画像形成装置は、
前記閲覧端末で該操作者によって閲覧された前記コンテンツの情報を前記印刷データ送信手段で送信された印刷データに基づき取得する前記コンテンツ情報取得手段と、
前記コンテンツ情報取得手段で取得された前記コンテンツの情報に基づき前記コンテンツの特徴を表す特徴語を抽出する前記特徴語抽出手段と、
前記特徴語抽出手段で抽出された特徴語を前記データベースに送信する特徴語送信手段と、
前記データベースが有するお勧めコンテンツ決定手段で決定されたお勧めコンテンツを前記データベースから受信して、当該お勧めコンテンツのＵＲＬを該操作者に対応して記憶する前記ＵＲＬ記憶手段と、
インターネットに接続する接続手段と、
前記接続手段でインターネットに接続して前記コンテンツの更新を確認する前記更新確認手段と
を有し、
前記データベースが有するお勧めコンテンツ決定手段は、
前記特徴語送信手段で送られた特徴語に基づき前記お勧めコンテンツを決定する
請求項１乃至５のいずれかに記載のコンテンツ自動更新システム。
【請求項７】
前記コンテンツ情報取得手段は、
前記印刷データ送信手段で送信された前記コンテンツの印刷データに含まれる該コンテンツのＵＲＬに基づき前記接続手段でインターネット上の該ＵＲＬに接続し、接続先から前記コンテンツの情報を取得する
請求項６に記載のコンテンツ自動更新システム。
【請求項８】
前記画像形成装置は、
前記更新確認手段で前記コンテンツの更新が確認された場合に、該更新が確認された前記コンテンツのページ情報を取得して印刷する更新ページ印刷手段
を有する
請求項６または７に記載のコンテンツ自動更新システム。
【請求項９】
前記画像形成装置は、
前記更新確認手段で前記コンテンツの更新が確認された場合に、該更新が確認された前記コンテンツのページ情報を取得して、該ページ情報を電子メールで前記閲覧端末へ送信する更新ページ送信手段
を有する
請求項６または７に記載のコンテンツ自動更新システム。
【請求項１０】
前記画像形成装置は、
サーバと、
前記更新確認手段で前記コンテンツの更新が確認された場合に、該更新が確認された前記コンテンツのリストを前記サーバに登録するサーバ登録手段と
を更に有する
請求項６または７に記載のコンテンツ自動更新システム。
【請求項１１】
前記閲覧端末は、
前記画像形成装置が有する前記サーバに接続して、前記サーバ登録手段で登録された前記コンテンツのリストを表示する表示手段
を更に有する
請求項１０に記載のコンテンツ自動更新システム。
【請求項１２】
前記画像形成装置は、
前記サーバ登録手段で登録された前記コンテンツのリストを表示部に表示する表示手段
を更に有する
請求項１０または１１に記載のコンテンツ自動更新システム。
【請求項１３】
前記操作者が閲覧を指示したインターネット上のコンテンツに前記閲覧端末に代わって接続するプロキシサーバを
更に備え、
前記プロキシサーバは、
前記操作者が閲覧指示したコンテンツの閲覧要求と該操作者の識別情報とを前記閲覧端末から受信する受信手段と、
前記受信手段で受信した閲覧要求に基づきインターネット上の前記コンテンツに接続し、当該コンテンツのページ情報を取得するページ情報取得手段と、
前記ページ情報取得手段で取得したページ情報を前記閲覧端末に送信するページ情報送信手段と、
前記閲覧端末で該操作者によって閲覧される前記コンテンツの情報を前記ページ情報取得手段で取得したページ情報に基づき取得する前記コンテンツ情報取得手段と、
前記コンテンツ情報取得手段で取得した前記コンテンツの情報に基づき前記コンテンツの特徴を表す特徴語を抽出する前記特徴語抽出手段と、
前記特徴語抽出手段で抽出された特徴語を前記データベースに送信する特徴語送信手段と、
前記データベースの前記お勧めコンテンツ決定手段で決定されたお勧めコンテンツのＵＲＬを前記データベースから受信して、当該お勧めコンテンツコンテンツのＵＲＬを該操作者に対応して記憶する前記ＵＲＬ記憶手段と、
前記更新確認手段と
を有し、
前記データベースが有する前記お勧めコンテンツ決定手段は、
前記特徴語送信手段で送られた特徴語に基づき前記お勧めコンテンツを決定し、
前記閲覧端末は、
前記ページ情報送信手段で送信されたページ情報を受信して、該操作者が閲覧指示した前記コンテンツを該ページ情報に基づき表示部に表示する表示手段
を有する
請求項１乃至５のいずれかに記載のコンテンツ自動更新システム。
【請求項１４】
印刷が行われる画像形成装置を
更に備え、
前記プロキシサーバは、
前記更新確認手段で前記コンテンツの更新が確認された場合に、該更新が確認された前記コンテンツのページ情報を前記画像形成装置に送信する送信手段を
更に有し、
前記画像形成装置は、
前記送信手段で送信された前記ページ情報を受信して前記コンテンツの印刷を行う
請求項１３に記載のコンテンツ自動更新システム。
【請求項１５】
前記プロキシサーバは、
データを前記画像形成装置で印刷可能な印刷データに変換する変換手段
を更に有し、
前記送信手段は、
前記更新確認手段で前記コンテンツの更新が確認された場合に、該更新が確認された前記コンテンツのページ情報を前記変換手段で印刷データに変換して前記画像形成装置に送信し、
前記画像形成装置は、
前記送信手段で送信された前記印刷データを受信して前記コンテンツの印刷を行う
請求項１４に記載のコンテンツ自動更新システム。
【請求項１６】
前記プロキシサーバは、
前記更新確認手段で前記コンテンツの更新が確認された場合に、該更新が確認された前記コンテンツのページ情報を電子メールで前記閲覧端末へ送信する更新ページ送信手段を
更に有する
請求項１３に記載のコンテンツ自動更新システム。
【請求項１７】
前記ページ情報は、
ＦＴＰでやり取りされるファイルデータ或いはＨＴＭＬデータである
請求項８または請求項９または請求項１３乃至１６のいずれかに記載のコンテンツ自動更新システム。
【請求項１８】
前記プロキシサーバは、
前記更新確認手段で前記コンテンツの更新が確認された場合に、該更新が確認された前記コンテンツのリストを記憶保存するコンテンツリスト記憶保存手段
を更に有する
請求項１４に記載のコンテンツ自動更新システム。
【請求項１９】
前記閲覧端末は、
前記プロキシサーバに接続し、前記プロキシサーバの前記コンテンツリスト記憶保存手段で記憶保存される前記コンテンツのリストを表示するコンテンツリスト表示手段
を更に有する
請求項１８に記載のコンテンツ自動更新システム。
【請求項２０】
前記画像形成装置は、
前記プロキシサーバに接続し、前記プロキシサーバの前記コンテンツリスト記憶保存手段で記憶保存される前記コンテンツのリストを表示するコンテンツリスト表示手段
を更に有する
請求項１８に記載のコンテンツ自動更新システム。
【請求項２１】
閲覧端末で操作者に閲覧されたインターネット上のコンテンツの印刷データを受信する受信手段と、
前記受信手段で受信した印刷データに基づき該操作者によって閲覧された前記コンテンツの情報を取得するコンテンツ情報取得手段と、
前記コンテンツ情報取得手段で取得された前記コンテンツの情報に基づき前記コンテンツの特徴を表す特徴語を抽出する特徴語抽出手段と、
前記特徴語抽出手段で抽出された特徴語を通信回線で接続されるデータベースに送信する特徴語送信手段と、
前記データベースで該特徴語に基づいて決定される該操作者に推薦するインターネット上のコンテンツであるお勧めコンテンツを前記データベースから受信するお勧めコンテンツ受信手段と、
前記お勧めコンテンツ受信手段で受信したお勧めコンテンツのＵＲＬを該操作者に対応して記憶するＵＲＬ記憶手段と、
インターネットに接続する接続手段と、
前記接続手段でインターネットに接続して前記ＵＲＬ記憶手段で記憶されるお勧めコンテンツの更新を確認する更新確認手段と
を具備し、
前記更新確認手段は、前記閲覧端末のログイン状況を確認して、前記操作者がログインしている場合には、該操作者に対応する前記コンテンツの更新を確認する頻度を増やし、前記操作者がログインしていない場合には、該操作者に対応する前記コンテンツの更新を確認する頻度を減らす、若しくは、更新を確認しない画像形成装置。
【請求項２２】
前記更新確認手段で前記コンテンツの更新が確認された場合に、該更新が確認された前記コンテンツのページ情報を取得して印刷する更新ページ印刷手段
を更に具備する請求項２１に記載の画像形成装置。
【請求項２３】
閲覧端末で操作者が閲覧指示したインターネット上のコンテンツの閲覧要求と該操作者の識別情報とを前記閲覧端末から受信する閲覧要求受信手段と、
前記閲覧要求受信手段で受信した閲覧要求に基づきインターネット上の前記コンテンツに接続し、当該コンテンツのページ情報を取得するページ情報取得手段と、
前記ページ情報取得手段で取得した当該コンテンツのページ情報を前記閲覧端末に送信するページ情報送信手段と、
前記閲覧端末で該操作者によって閲覧される前記コンテンツの情報を前記ページ情報取得手段で取得したページ情報に基づき取得するコンテンツ情報取得手段と、
前記コンテンツ情報取得手段で取得した前記コンテンツの情報に基づき前記コンテンツの特徴を表す特徴語を抽出する特徴語抽出手段と、
前記特徴語抽出手段で抽出した特徴語を通信回線で接続されるデータベースに送信する特徴語送信手段と、
前記データベースで該特徴語に基づいて決定される該操作者に推薦するインターネット上のコンテンツであるお勧めコンテンツを前記データベースから受信するお勧めコンテンツ受信手段と、
前記お勧めコンテンツ受信手段で受信したお勧めコンテンツのＵＲＬを該操作者に対応して記憶するＵＲＬ記憶手段と、
前記ＵＲＬ記憶手段で記憶されるお勧めコンテンツの更新を確認する更新確認手段と
を具備し、
前記更新確認手段は、前記閲覧端末のログイン状況を確認して、前記操作者がログインしている場合には、該操作者に対応する前記コンテンツの更新を確認する頻度を増やし、前記操作者がログインしていない場合には、該操作者に対応する前記コンテンツの更新を確認する頻度を減らす、若しくは、更新を確認しないプロキシサーバ。
【請求項２４】
前記更新確認手段で前記コンテンツの更新が確認された場合に、該更新が確認された前記コンテンツのページ情報を通信回線を通じて接続される画像形成装置で印刷可能な印刷データに変換して、前記画像形成装置に送信する印刷データ送信手段
を更に具備する請求項２３に記載のプロキシサーバ。
【発明の詳細な説明】
【技術分野】
【０００１】
本発明は、コンテンツ自動更新システムおよび画像形成装置およびプロキシサーバに関する。
【背景技術】
【０００２】
従来より、ユーザは、パーソナルコンピュータからインターネットに接続して、インターネットのＷｅｂコンテンツを閲覧していた。
【０００３】
そして、ユーザは、閲覧したＷｅｂコンテンツをネットワークで接続される画像形成装置に印刷させていた。
【０００４】
特許文献１には、Ｗｅｂコンテンツ印刷装置において、一度印刷したＷｅｂコンテンツとＵＲＬを記憶部に記憶し、記憶部に保存してあるコンテンツもしくはＵＲＬから取得した最新コンテンツもしくは保存してある印刷データのいずれかを選択して印刷する印刷装置およびその制御システムが記載されている。
【先行技術文献】
【特許文献】
【０００５】
【特許文献１】特開２００８−２６９１５９号公報
【発明の概要】
【発明が解決しようとする課題】
【０００６】
ユーザが閲覧して印刷したＷｅｂコンテンツに基づいてそのユーザに対して推奨するＷｅｂコンテンツを自動的に決定し、決定されたそのユーザに対して推奨するＷｅｂコンテンツの最新情報を自動的に取得するコンテンツ自動更新システムおよび画像形成装置およびプロキシサーバを提供することを目的とする。
【課題を解決するための手段】
【０００７】
上記目的を達成する為に、請求項１のコンテンツ自動更新システムは、操作者によってインターネット上のコンテンツの閲覧が行われる閲覧端末と、データベースとを備え、前記閲覧端末で閲覧された前記コンテンツの情報を取得するコンテンツ情報取得手段と、前記コンテンツ情報取得手段で取得された情報に基づき前記コンテンツの特徴を表す特徴語を抽出する特徴語抽出手段とを具備し、前記データベースは、該操作者に推薦するインターネット上のコンテンツであるお勧めコンテンツを前記特徴語抽出手段で抽出された特徴語に基づいて決定するお勧めコンテンツ決定手段を有し、前記お勧めコンテンツ決定手段で決定されたお勧めコンテンツのＵＲＬを該操作者に対応して記憶するＵＲＬ記憶手段と、前記ＵＲＬ記憶手段で記憶されるＵＲＬで接続される前記コンテンツの更新を確認する更新確認手段とを具備し、前記更新確認手段は、前記閲覧端末のログイン状況を確認して、前記操作者がログインしている場合には、該操作者に対応する前記コンテンツの更新を確認する頻度を増やし、前記操作者がログインしていない場合には、該操作者に対応する前記コンテンツの更新を確認する頻度を減らす、若しくは、更新を確認しないように構成される。
【０００８】
また、請求項２の発明は、請求項１の発明において、前記コンテンツ情報取得手段は、前記閲覧端末で閲覧された前記コンテンツのタイトル或いは前記コンテンツの本文を取得し、前記特徴語抽出手段は、該タイトル或いは該本文に基づき前記特徴語を抽出するように構成される。
【０００９】
また、請求項３の発明は、請求項１または２の発明において、前記データベースは、前記特徴語に対応する前記コンテンツを予め記憶する記憶手段を有し、前記お勧めコンテンツ決定手段は、前記特徴語抽出手段で抽出された特徴語に対応する前記コンテンツを前記記憶手段から選択することでお勧めコンテンツを決定するように構成される。
【００１０】
また、請求項４の発明は、請求項３の発明において、前記記憶手段は、前記特徴語に対応する複数の前記コンテンツを記憶するように構成される。
【００１１】
また、請求項５の発明は、請求項３または４の発明において、前記記憶手段は、複数の前記特徴語に対応する前記コンテンツを記憶するように構成される。
【００１４】
また、請求項６の発明は、請求項１から５のいずれかの発明において、印刷が行なわれる画像形成装置を更に備え、前記閲覧端末は、前記操作者によって閲覧された前記コンテンツを印刷する印刷データと該操作者の識別情報とを前記画像形成装置に送信する印刷データ送信手段を有し、前記画像形成装置は、前記閲覧端末で該操作者によって閲覧された前記コンテンツの情報を前記印刷データ送信手段で送信された印刷データに基づき取得する前記コンテンツ情報取得手段と、前記コンテンツ情報取得手段で取得された前記コンテンツの情報に基づき前記コンテンツの特徴を表す特徴語を抽出する前記特徴語抽出手段と、前記特徴語抽出手段で抽出された特徴語を前記データベースに送信する特徴語送信手段と、前記データベースが有するお勧めコンテンツ決定手段で決定されたお勧めコンテンツを前記データベースから受信して、当該お勧めコンテンツのＵＲＬを該操作者に対応して記憶する前記ＵＲＬ記憶手段と、インターネットに接続する接続手段と、前記接続手段でインターネットに接続して前記コンテンツの更新を確認する前記更新確認手段とを有し、前記データベースが有するお勧めコンテンツ決定手段は、前記特徴語送信手段で送られた特徴語に基づき前記お勧めコンテンツを決定するように構成される。
【００１５】
また、請求項７の発明は、請求項６の発明において、前記コンテンツ情報取得手段は、前記印刷データ送信手段で送信された前記コンテンツの印刷データに含まれる該コンテンツのＵＲＬに基づき前記接続手段でインターネット上の該ＵＲＬに接続し、接続先から前記コンテンツの情報を取得するように構成される。
【００１６】
また、請求項８の発明は、請求項６または７の発明において、前記画像形成装置は、前記更新確認手段で前記コンテンツの更新が確認された場合に、該更新が確認された前記コンテンツのページ情報を取得して印刷する更新ページ印刷手段を有するように構成される。
【００１７】
また、請求項９の発明は、請求項６または７の発明において、前記画像形成装置は、前記更新確認手段で前記コンテンツの更新が確認された場合に、該更新が確認された前記コンテンツのページ情報を取得して、該ページ情報を電子メールで前記閲覧端末へ送信する更新ページ送信手段を有するように構成される。
【００１８】
また、請求項１０の発明は、請求項６または７の発明において、前記画像形成装置は、サーバと、前記更新確認手段で前記コンテンツの更新が確認された場合に、該更新が確認された前記コンテンツのリストを前記サーバに登録するサーバ登録手段とを更に有するように構成される。
【００１９】
また、請求項１１の発明は、請求項１０の発明において、前記閲覧端末は、前記画像形成装置が有する前記サーバに接続して、前記サーバ登録手段で登録された前記コンテンツのリストを表示する表示手段を更に有するように構成される。
【００２０】
また、請求項１２の発明は、請求項１０または１１の発明において、前記画像形成装置は、前記サーバ登録手段で登録された前記コンテンツのリストを表示部に表示する表示手段を更に有するように構成される。
【００２１】
また、請求項１３の発明は、請求項１から５のいずれかの発明において、前記操作者が閲覧を指示したインターネット上のコンテンツに前記閲覧端末に代わって接続するプロキシサーバを更に備え、前記プロキシサーバは、前記操作者が閲覧指示したコンテンツの閲覧要求と該操作者の識別情報とを前記閲覧端末から受信する受信手段と、前記受信手段で受信した閲覧要求に基づきインターネット上の前記コンテンツに接続し、当該コンテンツのページ情報を取得するページ情報取得手段と、前記ページ情報取得手段で取得したページ情報を前記閲覧端末に送信するページ情報送信手段と、前記閲覧端末で該操作者によって閲覧される前記コンテンツの情報を前記ページ情報取得手段で取得したページ情報に基づき取得する前記コンテンツ情報取得手段と、前記コンテンツ情報取得手段で取得した前記コンテンツの情報に基づき前記コンテンツの特徴を表す特徴語を抽出する前記特徴語抽出手段と、前記特徴語抽出手段で抽出された特徴語を前記データベースに送信する特徴語送信手段と、前記データベースの前記お勧めコンテンツ決定手段で決定されたお勧めコンテンツのＵＲＬを前記データベースから受信して、当該お勧めコンテンツコンテンツのＵＲＬを該操作者に対応して記憶する前記ＵＲＬ記憶手段と、前記更新確認手段とを有し、前記データベースが有する前記お勧めコンテンツ決定手段は、前記特徴語送信手段で送られた特徴語に基づき前記お勧めコンテンツを決定し、前記閲覧端末は、前記ページ情報送信手段で送信されたページ情報を受信して、該操作者が閲覧指示した前記コンテンツを該ページ情報に基づき表示部に表示する表示手段を有するように構成される。
【００２２】
また、請求項１４の発明は、請求項１３の発明において、印刷が行われる画像形成装置を更に備え、前記プロキシサーバは、前記更新確認手段で前記コンテンツの更新が確認された場合に、該更新が確認された前記コンテンツのページ情報を前記画像形成装置に送信する送信手段を更に有し、前記画像形成装置は、前記送信手段で送信された前記ページ情報を受信して前記コンテンツの印刷を行うように構成される。
【００２３】
また、請求項１５の発明は、請求項１４の発明において、前記プロキシサーバは、データを前記画像形成装置で印刷可能な印刷データに変換する変換手段を更に有し、前記送信手段は、前記更新確認手段で前記コンテンツの更新が確認された場合に、該更新が確認された前記コンテンツのページ情報を前記変換手段で印刷データに変換して前記画像形成装置に送信し、前記画像形成装置は、前記送信手段で送信された前記印刷データを受信して前記コンテンツの印刷を行うように構成される。
【００２４】
また、請求項１６の発明は、請求項１３の発明において、前記プロキシサーバは、前記更新確認手段で前記コンテンツの更新が確認された場合に、該更新が確認された前記コンテンツのページ情報を電子メールで前記閲覧端末へ送信する更新ページ送信手段を更に有するように構成される。
【００２５】
また、請求項１７の発明は、請求項１３から１６のいずれかの発明において、前記ページ情報は、ＦＴＰでやり取りされるファイルデータ或いはＨＴＭＬデータであるように構成される。
【００２６】
また、請求項１８の発明は、請求項１４の発明において、前記プロキシサーバは、前記更新確認手段で前記コンテンツの更新が確認された場合に、該更新が確認された前記コンテンツのリストを記憶保存するコンテンツリスト記憶保存手段を更に有するように構成される。
【００２７】
また、請求項１９の発明は、請求項１８の発明において、前記閲覧端末は、前記プロキシサーバに接続し、前記プロキシサーバの前記コンテンツリスト記憶保存手段で記憶保存される前記コンテンツのリストを表示するコンテンツリスト表示手段を更に有するように構成される。
【００２８】
また、請求項２０の発明は、請求項１８の発明において、前記画像形成装置は、前記プロキシサーバに接続し、前記プロキシサーバの前記コンテンツリスト記憶保存手段で記憶保存される前記コンテンツのリストを表示するコンテンツリスト表示手段を更に有するように構成される。
【００２９】
また、請求項２１の発明の画像形成装置は、閲覧端末で操作者に閲覧されたインターネット上のコンテンツの印刷データを受信する受信手段と、前記受信手段で受信した印刷データに基づき該操作者によって閲覧された前記コンテンツの情報を取得するコンテンツ情報取得手段と、前記コンテンツ情報取得手段で取得された前記コンテンツの情報に基づき前記コンテンツの特徴を表す特徴語を抽出する特徴語抽出手段と、前記特徴語抽出手段で抽出された特徴語を通信回線で接続されるデータベースに送信する特徴語送信手段と、前記データベースで該特徴語に基づいて決定される該操作者に推薦するインターネット上のコンテンツであるお勧めコンテンツを前記データベースから受信するお勧めコンテンツ受信手段と、前記お勧めコンテンツ受信手段で受信したお勧めコンテンツのＵＲＬを該操作者に対応して記憶するＵＲＬ記憶手段と、インターネットに接続する接続手段と、前記接続手段でインターネットに接続して前記ＵＲＬ記憶手段で記憶されるお勧めコンテンツの更新を確認する更新確認手段とを具備し、前記更新確認手段は、前記閲覧端末のログイン状況を確認して、前記操作者がログインしている場合には、該操作者に対応する前記コンテンツの更新を確認する頻度を増やし、前記操作者がログインしていない場合には、該操作者に対応する前記コンテンツの更新を確認する頻度を減らす、若しくは、更新を確認しないように構成される。
【００３０】
また、請求項２２の発明は、請求項２１の発明において、前記更新確認手段で前記コンテンツの更新が確認された場合に、該更新が確認された前記コンテンツのページ情報を取得して印刷する更新ページ印刷手段を更に具備するように構成される。
【００３１】
また、請求項２３の発明のプロキシサーバは、閲覧端末で操作者が閲覧指示したインターネット上のコンテンツの閲覧要求と該操作者の識別情報とを前記閲覧端末から受信する閲覧要求受信手段と、前記閲覧要求受信手段で受信した閲覧要求に基づきインターネット上の前記コンテンツに接続し、当該コンテンツのページ情報を取得するページ情報取得手段と、前記ページ情報取得手段で取得した当該コンテンツのページ情報を前記閲覧端末に送信するページ情報送信手段と、前記閲覧端末で該操作者によって閲覧される前記コンテンツの情報を前記ページ情報取得手段で取得したページ情報に基づき取得するコンテンツ情報取得手段と、前記コンテンツ情報取得手段で取得した前記コンテンツの情報に基づき前記コンテンツの特徴を表す特徴語を抽出する特徴語抽出手段と、前記特徴語抽出手段で抽出した特徴語を通信回線で接続されるデータベースに送信する特徴語送信手段と、前記データベースで該特徴語に基づいて決定される該操作者に推薦するインターネット上のコンテンツであるお勧めコンテンツを前記データベースから受信するお勧めコンテンツ受信手段と、前記お勧めコンテンツ受信手段で受信したお勧めコンテンツのＵＲＬを該操作者に対応して記憶するＵＲＬ記憶手段と、前記ＵＲＬ記憶手段で記憶されるお勧めコンテンツの更新を確認する更新確認手段とを具備し、前記更新確認手段は、前記閲覧端末のログイン状況を確認して、前記操作者がログインしている場合には、該操作者に対応する前記コンテンツの更新を確認する頻度を増やし、前記操作者がログインしていない場合には、該操作者に対応する前記コンテンツの更新を確認する頻度を減らす、若しくは、更新を確認しないように構成される。
【００３２】
また、請求項２４の発明は、請求項２３の発明において、前記更新確認手段で前記コンテンツの更新が確認された場合に、該更新が確認された前記コンテンツのページ情報を通信回線を通じて接続される画像形成装置で印刷可能な印刷データに変換して、前記画像形成装置に送信する印刷データ送信手段を更に具備するように構成される。
【発明の効果】
【００３３】
請求項１の発明によれば、ユーザに推薦するインターネット上のコンテンツの更新が確認される。
【００３４】
請求項２の発明によれば、ユーザに推薦するインターネット上のコンテンツの更新が確認される。
【００３５】
請求項３の発明によれば、ユーザに推薦するインターネット上のコンテンツの更新が確認される。
【００３６】
請求項４の発明によれば、１つの特徴語から複数のお勧めコンテンツが決定されるという効果を奏する。
【００３７】
請求項５の発明によれば、複数の特徴語からお勧めコンテンツが決定される。
【００４０】
請求項６の発明によれば、画像形成装置に送信されたコンテンツの印刷データに基づいてお勧めコンテンツが決定される。
【００４１】
請求項７の発明によれば、ユーザに推薦するインターネット上のコンテンツの更新が確認される。
【００４２】
請求項８の発明によれば、更新が確認されたお勧めコンテンツが自動的に印刷されるという効果を奏する。
【００４３】
請求項９の発明によれば、更新が確認されたお勧めコンテンツが電子メールで閲覧端末に送信されるという効果を奏する。
【００４４】
請求項１０の発明によれば、ユーザに推薦するインターネット上のコンテンツの更新が確認される。
【００４５】
請求項１１の発明によれば、更新の確認がされたお勧めコンテンツが閲覧端末に表示されるという効果を奏する。
【００４６】
請求項１２の発明によれば、更新の確認がされたお勧めコンテンツが画像形成装置の表示部に表示されるという効果を奏する。
【００４７】
請求項１３の発明によれば、プロキシサーバによって、ユーザに推薦するインターネット上のコンテンツの更新が確認される。
【００４８】
請求項１４の発明によれば、プロキシサーバによって更新が確認されたお勧めコンテンツが画像形成装置で印刷されるという効果を奏する。
【００４９】
請求項１５の発明によれば、プロキシサーバによって更新が確認されたお勧めコンテンツが画像形成装置で印刷されるという効果を奏する。
【００５０】
請求項１６の発明によれば、更新が確認されたお勧めコンテンツが電子メールで閲覧端末に送信されるという効果を奏する。
【００５１】
請求項１７の発明によれば、ＦＴＰでやり取りされるファイルデータ或いはＨＴＭＬデータのお勧めコンテンツの更新が確認される。
【００５２】
請求項１８の発明によれば、プロキシサーバによって、ユーザに推薦するインターネット上のコンテンツの更新が確認される。
【００５３】
請求項１９の発明によれば、更新の確認がされたお勧めコンテンツが閲覧端末に表示されるという効果を奏する。
【００５４】
請求項２０の発明によれば、更新の確認がされたお勧めコンテンツが画像形成装置の表示部に表示されるという効果を奏する。
【００５５】
請求項２１の発明によれば、画像形成装置に送信されたコンテンツの印刷データに基づいてお勧めコンテンツが決定される。
【００５６】
請求項２２の発明によれば、更新が確認されたお勧めコンテンツが自動的に印刷されるという効果を奏する。
【００５７】
請求項２３の発明によれば、プロキシサーバによって、ユーザに推薦するインターネット上のコンテンツの更新が確認される。
【００５８】
請求項２４の発明によれば、プロキシサーバによって更新が確認されたお勧めコンテンツが画像形成装置で印刷されるという効果を奏する。
【図面の簡単な説明】
【００５９】
【図１】図１はコンテンツ自動印刷システム１の構成図である。（実施例１）
【図２】図２（ａ）は画像形成装置２００の機能ブロック図であり図２（ｂ）はコンテンツデータベースサーバ３００の機能ブロック図である。
【図３】図３はＰＤＬデータを示す模式図である。
【図４】図４は特徴語抽出の抽出ロジックを示すフローチャートである。
【図５】図５は記憶部３０３に記憶されるデータベースの例を示す表である。
【図６】図６はコンテンツ自動印刷システム１で行われる処理を示すフローチャートである。
【図７】図７はコンテンツ自動印刷システム１０の構成図である。（実施例２）
【図８】図８はプロキシサーバ４００の機能ブロック図である。
【図９】図９はコンテンツ自動印刷システム１０で行われる処理を示すフローチャートである。
【発明を実施するための形態】
【００６０】
以下、本発明の実施例について添付図面を参照して詳細に説明する。
【実施例１】
【００６１】
まず、本発明に係るコンテンツ自動印刷システム１について図１を参照して説明を行う。
【００６２】
図１は、コンテンツ自動印刷システム１を示す構成図である。
【００６３】
コンテンツ自動印刷システム１は、図１に示すように、ユーザがインターネット２上のコンテンツ（以下、Ｗｅｂコンテンツと呼ぶ。Ｗｅｂコンテンツは、Ｗｅｂサイトの意味を含めるものとする。）を閲覧する端末となるパーソナルコンピュータ１００と画像形成装置２００とコンテンツデータベースサーバ３００とが各々通信可能に通信回線３に接続されている。
【００６４】
通信回線３は、インターネット２に接続されるので、パーソナルコンピュータ１００（以下、ＰＣ（１００）と呼ぶ。）よりＷｅｂコンテンツが閲覧される。
【００６５】
コンテンツ自動印刷システム１には、通信回線３に接続されるパーソナルコンピュータを複数台接続することがもちろん可能であり、ＰＣ（１００）と同じ機能を有するパーソナルコンピュータ１００−１が通信回線３に接続され、ＰＣ（１００）とは異なるユーザがパーソナルコンピュータ１００−１からＷｅｂコンテンツの印刷指示を画像形成装置２００に送ることができる。
【００６６】
インターネット２上にはＷｅｂサーバ４やＦＴＰ(File Transfer Protocol)サーバ５が存在し、ＰＣ（１００）より、それらサーバ上のコンテンツの閲覧が行われる。
【００６７】
よって、ＰＣ（１００）より閲覧されるＷｅｂコンテンツは、Ｗｅｂサーバ４上のコンテンツやＦＴＰサーバ５上のコンテンツを含むものとする。
【００６８】
ＰＣ（１００）は、表示部１０１、入力部１０２、演算部１０３、制御部１０４、記憶部１０５を有するパーソナルコンピュータである。
【００６９】
表示部１０１は、ディスプレイで構成され、演算部１０３で演算した結果等の情報をＰＣ（１００）のユーザに表示する。
【００７０】
入力部１０２は、マウスやキーボードで構成され、ＰＣ（１００）のユーザによって、指示ＰＣ（１００）に指示が入力される。
【００７１】
演算部１０３は、ＣＰＵ(Central Processing Unit)で構成され、制御部１０４の指示に従って演算を実行する。
【００７２】
制御部１０４は、ＣＰＵで構成され、演算部１０３に対して制御を行う。
【００７３】
記憶部１０５は、ＨＤＤ(Hard Disk Drive)、ＲＡＭ(Random Access Memory)、ＲＯＭ(Read Only Memory)等で構成され、画像形成装置２００のプリンタドライバ１０６やＷｅｂコンテンツを閲覧するためのＷｅｂブラウザ１０７を記憶する。
【００７４】
画像形成装置２００は、ＣＰＵ（２０１）、ＲＡＭ（２０２）、ＲＯＭ（２０３）、通信インタフェース（以下、図面と共に通信Ｉ／Ｆと呼ぶ。）２０４、ＨＤＤ（２０５）、表示／操作部２０６、印刷実行部２０７を有する。
【００７５】
ＣＰＵ（２０１）は、画像形成装置２００を統括的に制御する。
【００７６】
ＲＡＭ（２０２）は、書き換え可能な揮発性の記憶装置であり、ＲＯＭ（２０３）に記憶されるプログラムを動作させるシステム変数等を一時記憶する。
【００７７】
ＲＯＭ（２０３）は、不揮発性メモリであり、画像形成装置２００を動作させるプログラムや等を記憶する。
【００７８】
通信Ｉ／Ｆ（２０４）は、通信回線３と接続され、通信回線３を介して情報を授受する。
【００７９】
ＨＤＤ（２０５）は、書き換え可能な不揮発性メモリであり、印刷する画像データをスプールしたり、ユーザ毎のお勧めＵＲＬ(Uniform Resource Locator)リストを記憶したりする。
【００８０】
表示／操作部２０６は、液晶のタッチパネルで構成され、ユーザからの指示を受け付け、ユーザに情報を表示する。
【００８１】
印刷実行部２０７は、印刷エンジンで構成され、画像データを用紙に印刷して排出する。
【００８２】
コンテンツデータベースサーバ３００は、演算部３０１、制御部３０２、記憶部３０３を有する。
【００８３】
演算部３０１は、ＣＰＵで構成され、制御部３０２の指示に従って演算を実行する。
【００８４】
制御部３０２は、ＣＰＵで構成され、演算部３０１に対して制御を行なう。
【００８５】
記憶部３０３は、ＲＡＭ、ＲＯＭ、ＨＤＤ等の記憶装置で構成され、コンテンツデータベースサーバ３００を動作させるプログラムやデータベース等が記憶されており、また、プロブラムの実行時の作業メモリ領域としての機能を担う。
【００８６】
このように構成されるコンテンツ自動印刷システム１では、ユーザがＰＣ（１００）でＷｅｂコンテンツを閲覧して、Ｗｅｂコンテンツを画像形成装置２００で印刷するように印刷指示を行なうと、印刷データが画像形成装置２００に送られる。
【００８７】
Ｗｅｂコンテンツを印刷する印刷データを受信した画像形成装置２００は、印刷を行い、その印刷データから印刷指示されたＷｅｂコンテンツの特徴語を抽出し、特徴語をコンテンツデータベースサーバ３００に送る。
【００８８】
特徴語が送られたコンテンツデータベースサーバ３００は、その特徴語に基づいて、ＰＣ（１００）を操作してＷｅｂコンテンツを閲覧したユーザにお勧めするＵＲＬのリストであるお勧めＵＲＬリストを作成する。
【００８９】
お勧めＵＲＬリストは、その作成の元となった特徴語が抽出されたＷｅｂコンテンツを閲覧したユーザに勧められるＷｅｂコンテンツのＵＲＬを示すリストである。
【００９０】
コンテンツデータベースサーバ３００が作成したお勧めＵＲＬリストは、画像形成装置２００に送られ、画像形成装置２００でユーザ毎に保存される。
【００９１】
そして、画像形成装置２００は、保存するお勧めＵＲＬリストに記載されるＷｅｂコンテンツが更新されていないかどうかを設定されている時期（例えば定期的）に確認し、更新されている場合には、更新されたそのＷｅｂコンテンツデータを取得して印刷する等の処理を行う。
【００９２】
次に、画像形成装置２００とコンテンツデータベースサーバ３００が有する機能について、図２を参照して説明を行なう。
【００９３】
図２は画像形成装置２００とコンテンツデータベースサーバ３００が有する一部の機能を示すブロック図であり、図２（ａ）は画像形成装置２００が有する一部の機能を示すブロック図であり、図２（ｂ）はコンテンツデータベースサーバ３００が有する一部の機能を示すブロック図である。
【００９４】
画像形成装置２００は、図２（ａ）に示すように、コンテンツ情報取得機能２５１、特徴語抽出機能２５２、お勧めＵＲＬリスト記憶機能２５３、Ｗｅｂ機能２５４、更新確認機能２５５を有する。
【００９５】
図２（ａ）に示すコンテンツ情報取得機能２５１は、ユーザが閲覧したＷｅｂコンテンツのデータを取得する機能であり、画像形成装置２００は、ＰＣ（１００）より送られる印刷データからＷｅｂコンテンツのデータを取得することにより行なう。コンテンツ情報取得機能２５１は、ＣＰＵ２０１の制御により行なわれる。
【００９６】
また、画像形成装置２００は、ＰＣ（１００）よりＵＲＬが送られて、インターネット２からそのＵＲＬのＷｅｂコンテンツを取得して印刷することができるプルプリント印刷に対応している。  よって、プルプリント印刷の場合は、コンテンツ情報取得機能２５１は、ＰＣ（１００）より送られたＵＲＬに基づいてＷｅｂ機能２５４がそのＵＲＬのＷｅｂコンテンツを取得することにより行なわれる。
【００９７】
図２（ａ）に示す特徴語抽出機能２５２は、コンテンツ情報取得機能２５１が取得したＷｅｂコンテンツのデータから特徴語を抽出する。特徴語抽出機能２５２は、ＣＰＵ２０１の制御により行なわれる。
【００９８】
Ｗｅｂコンテンツから抽出される特徴語は、そのＷｅｂコンテンツの特徴を表す語句であり、例えば、そのＷｅｂコンテンツに出現した数が最も多い語句を特徴語とすることができる。
【００９９】
ここで図３を参照して特徴語抽出機能２５２について説明する。
【０１００】
図３は、ＰＣ（１００）から画像形成装置２００に送られるＰＤＬ（Page Description Language）データを示す模式図である。
【０１０１】
図３に示すようにＰＤＬデータには、ＰＤＬデータを送ったＰＣ（１００）にログインしたユーザのユーザ名、印刷対象のＷｅｂコンテンツのＵＲＬ、印刷対象のＷｅｂコンテンツのタイトル等が記述され、また、印刷対象のＷｅｂコンテンツのテキストデータが記述される。
【０１０２】
ＰＤＬデータには、例えば、ＰｏｓｔＳｃｒｉｐｔやＰＣＬ等の言語が使用される。
【０１０３】
特徴語抽出機能２５２は、ＰＤＬデータに記述されるＷｅｂコンテンツのテキストデータに基づきそのテキストデータに最も多く出現した単語を特徴語として抽出することができる。  例えば、図３に示すように、ＰＤＬデータに記述されるＷｅｂコンテンツのテキストデータに「野球」という語句が最も多く含まれているので、特徴語抽出機能２５２はそのＷｅｂコンテンツの特徴語を「野球」であるとして抽出する。
【０１０４】
また、特徴語抽出機能２５２は、ＰＤＬデータに記述されるＷｅｂコンテンツのテキストデータに最も多く含まれる語句を特徴語とする以外の他の方法によって、ＰＤＬデータに記述されるＷｅｂコンテンツのテキストデータに基づいてＷｅｂコンテンツの特徴語を抽出してもよい。
【０１０５】
また、特徴語抽出機能２５２は、次にような方法により特徴語を抽出することもできる。
【０１０６】
特徴語抽出機能２５２による特徴語を抽出する方法について図４を参照して説明を行なう。
【０１０７】
図４は、画像形成装置２００において、特徴語が抽出される抽出ロジックを示すフローチャートである。
【０１０８】
画像形成装置１００は、ＰＣ（１００）より送られる印刷データ（ＰＤＬデータ）を受信すると、ＣＰＵ２０１がその印刷データ（ＰＤＬデータ）よりユーザ識別情報が含まれているか否かを確認する（ステップ４０１）。
【０１０９】
ユーザ識別情報が含まれている場合には（ステップ４０１でＹＥＳ）、これから抽出する特徴語は、ユーザ識別情報が識別するユーザが閲覧したＷｅｂコンテンツの特徴語としてＣＰＵ２０１により情報管理される（ステップ４０２）。すなわちそのユーザ識別情報がＲＡＭ２０２に一時記憶される。
【０１１０】
また、ステップ４０１でユーザ識別情報が含まれていない場合には（ステップ４０１でＮＯ）、これから抽出する特徴語は、ゲストが閲覧したＷｅｂコンテンツの特徴語であるとして、ＣＰＵ２０１により情報管理される（ステップ４０３）。すなわちゲスト扱いされることを示す情報がＲＡＭ２０２に一時記憶される。
【０１１１】
そして、画像形成装置１００が受信した印刷データにメタデータが含まれているか否かがＣＰＵ２０１により確認される（ステップ４０４）。
【０１１２】
メタデータが含まれていない場合には（ステップ４０４でＮＯ）、ＨＤＤ２０５に記憶される専用プラグインをＰＣ（１００）に送信して（ステップ４０６）、ＰＣ（１００）のＷｅｂブラウザ１０７に専用プラグインを組み込んでもらい、Ｗｅｂコンテンツの印刷指示を再度行ってもらう。  専用プラグインが組み込まれたＷｅｂブラウザ１０７は、Ｗｅｂコンテンツの情報をメタデータとして、Ｗｅｂコンテンツを印刷する印刷データに埋め込む。  専用プラグインには、印刷対象のＷｅｂコンテンツの特徴語を自動的に抽出して、特徴語であることを示す情報と共にその特徴語をメタデータとして印刷データに埋め込むような機能を持たせてもよい。
【０１１３】
ステップ４０４でメタデータが含まれている場合には（ステップ４０４でＹＥＳ）、ＣＰＵ２０１はそのメタデータを取得する。
【０１１４】
メタデータは、印刷指示されたＷｅｂコンテンツのＵＲＬか、Ｗｅｂコンテンツのタイトルか、Ｗｅｂコンテンツの特徴語である。
【０１１５】
メタデータがＵＲＬである場合には（ステップ４０７でＹＥＳ）、画像形成装置２００は、Ｗｅｂ機能２５４を利用して、そのメタデータのＵＲＬが示すＷｅｂコンテンツにアクセスする（ステップ４０８）。
【０１１６】
画像形成装置２００は、メタデータのＵＲＬが示すＷｅｂコンテンツにアクセスして、そのＷｅｂコンテンツのＨＴＭＬデータを取得する。
【０１１７】
画像形成装置２００の特徴語抽出機能２５２は、メタデータのＵＲＬが示すＷｅｂコンテンツのタイトルより特徴語を抽出する（ステップ４０９）。
【０１１８】
特徴語抽出機能２５２は、メタデータのＵＲＬが示すＷｅｂコンテンツにアクセスした場合には、基本的にそのＷｅｂコンテンツのタイトルから特徴語を抽出するが、そのＷｅｂコンテンツの本文からも特徴語を抽出してもよい（ステップ４０９）。
【０１１９】
また、ステップ４０７でメタデータがＵＲＬでない場合には（ステップ４０７でＮＯ）、ＣＰＵ２０１は、そのメタデータがＷｅｂコンテンツのタイトルか否かを確認する（ステップ４１０）。
【０１２０】
メタデータがＷｅｂコンテンツのタイトルである場合には（ステップ４１０でＹＥＳ）、特徴語抽出機能２５２は、そのタイトルから特徴語を抽出する（ステップ４０９）。
【０１２１】
また、ステップ４１０でメタデータがＷｅｂコンテンツのタイトルでない場合には（ステップ４１０ＮＯ）、ＣＰＵ２０１は、メタデータよりＷｅｂコンテンツの特徴語を取得する（ステップ４１１）。
【０１２２】
このようにして、特徴語抽出機能２５２によりＷｅｂコンテンツの特徴語が抽出（或いは取得）される。
【０１２３】
Ｗｅｂコンテンツのタイトルや本文から特徴語を抽出する方法は、例えば、特開２００２−７３６８１号公報（段落００６２〜段落０１９５）の技術を利用することができるが、他の方法を利用してもよい。
【０１２４】
図２（ａ）に示すお勧めＵＲＬリスト記憶機能２５３は、コンテンツデータベースサーバ３００より送られるお勧めＵＲＬリストをＨＤＤ（２０５）に記憶して保存する。お勧めＵＲＬリスト記憶機能２５３は、お勧めＵＲＬリストがコンテンツデータベースサーバ３００で作成される際に元となった特徴語が抽出されたＷｅｂコンテンツを閲覧したユーザ毎に、そのお勧めＵＲＬリストを記憶保存する。画像形成装置２００が行なうユーザの判断は、ＰＣ（１００）から送られるＷｅｂコンテンツの印刷指示に含まれるＰＣ（１００）の識別情報やＰＣ（１００）にログインして印刷指示を行ったユーザ識別情報によって行われることが可能である。
【０１２５】
図２（ａ）に示すＷｅｂ機能２５４は、インターネット２に接続して、指定のＵＲＬのＷｅｂコンテンツを取得する。例えば、指定のＵＲＬがＷｅｂサーバ４である場合には、ＨＴＴＰ(HyperText Transfer Protocol)を使ってＷｅｂコンテンツのＨＴＭＬ(HyperText Markup Language)文書を取得し、また、指定のＵＲＬがＦＴＰサーバ５である場合には、ＦＴＰ(File Transfer Protocol)を使ってＷｅｂコンテンツのファイルを取得する。  画像形成装置２００は、Ｗｅｂ機能２５４を機能させるために、ＨＤＤ２０５に、ＨＴＴＰを使ってＷｅｂサーバ４からＨＴＭＬを取得するプログラムと、ＦＴＰを使ってＦＴＰサーバ５からファイルを取得するプログラムとを記憶している。  そして、ＣＰＵ２０１がそのプログラムをＲＡＭ２０２に呼び出して、ＣＰＵ２０１により制御されてＷｅｂ機能２５４が行なわれる。
【０１２６】
図２（ａ）に示す更新確認機能２５５は、お勧めＵＲＬリスト記憶機能２５３が保存するお勧めＵＲＬリストのＷｅｂコンテンツが更新されていないかどうかを確認する処理を行う。  画像形成装置２００は更新確認を実行するプログラムをＨＤＤ２０５に記憶しており、ＣＰＵ２０１はそのプログラムをＲＡＭ２０２に呼び出し、更新確認機能２５５はＣＰＵ２０１により制御されて行われる。
【０１２７】
更新確認機能２５５がお勧めＵＲＬリストのＷｅｂコンテンツの更新確認を行なう時期とその方法について説明を行なう。
【０１２８】
まず、更新の確認を行なう時期について説明する。  画像形成装置２００は、更新確認機能２５５を、次のような時期に行なうようにすることができる。
【０１２９】
例えば、画像形成装置２００は、更新確認機能２５５を、画像形成装置２００の電源が入れられて起動した直後に行なうようにすることができる。
【０１３０】
また、画像形成装置２００は、更新確認機能２５５を、画像形成装置２００に予め設定された時刻に行なうようにすることができる。
【０１３１】
また、画像形成装置２００は、更新確認機能２５５を、ユーザが表示／操作部２０６に表示される更新確認ボタンを押下して指示した時点で行なうようにすることができる。
【０１３２】
また、画像形成装置２００は、ＰＣ（１００）のＷｅｂブラウザ１０７の画面上に画像形成装置２００が有するＥＷＳ（埋め込みＷｅｂサーバ）の画面が表示されて、そのＥＷＳの画面上に表示される更新確認ボタンをＰＣ（１００）を操作するユーザが押下して指示した時点で画像形成装置２００の更新確認機能２５５が行なわれるようにすることができる。
【０１３３】
また、お勧めＵＲＬリストはユーザ毎に記憶されるので、画像形成装置２００は、記憶するお勧めＵＲＬリストに対応するユーザから送られる印刷データを印刷した場合に、そのユーザに対応するお勧めＵＲＬリストの更新確認を行なって、更新されていたＷｅｂコンテンツを印刷することができる。更新確認の時期をそのようにすることにより、ユーザが印刷結果物を画像形成装置２００に取りに来るときに、更新されたＷｅｂコンテンツが印刷された物をも取得することができ、二度手間にならずに便利である。
【０１３４】
また、画像形成装置２００は、ＰＣ（１００）のログイン状況を確認して、ＰＣ（１００）がログインされている場合には、ユーザが在席しているものとして、そのユーザに対応するお勧めＵＲＬリストの更新確認の頻度を増やすことができる。
【０１３５】
また、画像形成装置２００は、ＰＣ（１００）のログイン状況を確認して、ＰＣ（１００）がログインされていない場合には、ユーザが在席していないものとして、そのユーザに対応するお勧めＵＲＬリストの更新確認の頻度を減らす、若しくは、更新確認をせずに、画像形成装置２００の負荷を下げることができる。
【０１３６】
画像形成装置２００は、ＰＣ（１００）のログイン状況を確認するための適切なプロトコルを使用して、ログイン状況を確認する。  例えば、画像形成装置２００は、ログイン状況を確認するために、ＳＮＭＰ(Simple Network Management Protocol)などを使ったＭＩＢ(Management Information Base)情報を利用することができる。
【０１３７】
また、画像形成装置２００は、印刷実行部２０７で印刷を行う状態が終了した後に、アイドリング状態となった場合に、更新確認機能２５５を行って、お勧めＵＲＬリストのＷｅｂコンテンツの更新確認を行なうようにすることができる。  そのような時期に更新確認機能２５５を行なわせることにより、画像形成装置２００は、印刷実行部２０７が稼働していない状態に更新確認を行わせることができて、ＣＰＵ２０１の負荷を減らすことができる。
【０１３８】
また、画像形成装置２００は、過去の更新された記録をお勧めＵＲＬ毎にＨＤＤ２０５に記憶しておき、その記録に基づき各々のお勧めＵＲＬの更新タイミングを画像形成装置２００が予測して、その予測を更新確認する時期に反映させることができる。  つまり、過去の更新された記録が高頻度で更新されているお勧めＵＲＬの場合には、次回の更新の更新間隔も短いと予測できるので、画像形成装置２００は更新確認を高頻度に行なうようにすることができる。
【０１３９】
また、低頻度で更新されているお勧めＵＲＬの場合（例えば前回の更新が半年前のようなＷｅｂコンテンツ）には、次回の更新の更新間隔も長いと予測できるので、画像形成装置２００は更新間隔を低頻度に行なう（更新確認の間隔を伸ばす）ようにすることができる。
【０１４０】
このような時期に、画像形成装置２００は更新確認機能２５５を行うことができる。
【０１４１】
次に、更新確認機能２５５がお勧めＵＲＬリストのＷｅｂコンテンツの更新確認を行なう方法について説明を行なう。
【０１４２】
更新確認機能２５５は、Ｗｅｂ機能２５４によりＷｅｂサーバ４から受信するＨＴＴＰヘッダのLast-Modifiedフィールドの値に基づき、Ｗｅｂコンテンツが更新されているかどうかを確認することができる。Last-Modifiedフィールドには、最終更新日時が記載されているので、更新確認機能２５５は、お勧めＵＲＬリストのＷｅｂコンテンツが更新された日時をＨＤＤ２０５に記憶しておき、その日時とLast-Modifiedフィールドで取得する最終更新日時とを比較することで、新たに更新されたか否かを確認することができる。
【０１４３】
また、更新確認機能２５５は、お勧めＵＲＬリストのＷｅｂコンテンツを管理するＷｅｂサーバ４に対して、If-Modified-Sinceフィールドを含んだリクエストを送り、それに対するＷｅｂサーバ４からの返事に基づき、Ｗｅｂコンテンツが指定の日時より更新されたか否かを確認することができる。  例えば、更新確認機能２５５は、If-Modified-Sinceフィールドに指定の日時を記述してＷｅｂサーバ４に送り、その返事が「200 OK」である場合にはその指定の日時以降に更新が行なわれたと確認でき、また、その返事が「304 Not Modified」である場合にはその指定の日時以降には更新されていないと確認できる。
【０１４４】
また、更新確認機能２５５は、ＦＴＰコマンドであるＬＩＳＴコマンドやＮＬＳＴコマンドを使用してファイル属性情報を取得し、ファイル属性情報にファイル更新日時やファイルサイズが含まれている場合にはそれらの情報に基づき更新されているか否かを確認することができる。  例えば、ファイル属性情報にファイル更新日時が含まれていた場合には、前回の更新確認時に取得したファイル更新日時と比較して変化があった場合には、新たに更新が行なわれたと判断され、また、ファイル属性情報にファイルサイズが含まれている場合には、前回の更新確認時に取得したファイルサイズと比較して変化があった場合には、新たに更新が行なわれたと判断される。
【０１４５】
また、更新確認機能２５５は、ＲＳＳ(Really Simple Syndication)を利用して、お勧めＵＲＬリストのＷｅｂコンテンツが更新されているか否かを確認することができる。
【０１４６】
ＲＳＳで記述された文書には、Ｗｅｂコンテンツ（Ｗｅｂサイト）の各ページのタイトル、アドレス、見出し、要約、更新時刻などが記述される。よって、お勧めＵＲＬリストに含まれるＷｅｂコンテンツ（Ｗｅｂサイト）のＲＳＳ情報を取得することにより、そのＷｅｂコンテンツ（Ｗｅｂサイト）が更新されたか否かを確認することが出来る。  具体的には、お勧めＵＲＬリストに含まれるＷｅｂコンテンツ（Ｗｅｂサイト）から送られるＲＳＳフィードに基づき、そのＲＳＳフィードに前回とは異なる新しいタイトルが含まれている場合に、そのＷｅｂコンテンツ（Ｗｅｂサイト）が更新されたものと確認することができる。
【０１４７】
このような方法により、更新確認機能２５５は、お勧めＵＲＬリストのＷｅｂコンテンツ（Ｗｅｂサイト）の更新を確認することができる。
【０１４８】
また、コンテンツデータベース３００は、図２（ｂ）に示すように、お勧めＵＲＬリスト作成機能３５１を有する。
【０１４９】
ここでコンテンツデータベース３００が有するお勧めＵＲＬリスト作成機能３５１について、図５を参照して説明を行なう。
【０１５０】
図５はコンテンツデータベース３００が記憶部３０３に記憶するデータベースの例を示す表であり、図５（ａ）は１つの特徴語からお勧めＵＲＬが作成される際にお勧めＵＲＬリスト作成機能３５１が使用するデータベースの例を示す表であり、図５（ｂ）は複数個の特徴語からお勧めＵＲＬが作成される際にお勧めＵＲＬリスト作成機能３５１が使用するデータベースの例を示す表である。
【０１５１】
コンテンツデータベース３００のお勧めＵＲＬリスト作成機能３５１は、画像形成装置２００から受信した特徴語に基づきお勧めＵＲＬリストを作成する。
【０１５２】
お勧めＵＲＬリスト作成機能３５１は、受信した特徴語とＷｅｂコンテンツとを対応付けるためのデータベースを記憶部３０３に記憶している。
【０１５３】
例えば、図５（ａ）に示すように、特徴語が１つの場合で、特徴語が「テニス」である場合には、その特徴語「テニス」に対応するお勧めＵＲＬがデータベースに記憶されているの。それで、お勧めＵＲＬリスト作成機能３５１は、特徴語に対応するお勧めＵＲＬをそのデータベースより決定する。  特徴語に対応するお勧めＵＲＬは、図５（ａ）に示すように、１つではなく、複数であってもよい。
【０１５４】
また、特徴語は、論理和によって構成されてもよい。つまり、図５（ａ）に示すように、特徴語が「スケート」若しくは「アイスホッケー」である場合に対応するお勧めＵＲＬが「http://ddd.com」であるとデータベースには記憶されている。よって、お勧めＵＲＬリスト作成機能３５１は、特徴語が「スケート」若しくは「アイスホッケー」である場合には、お勧めＵＲＬをデータベースの記憶内容に基づき「http://ddd.com」と決定する。
【０１５５】
また、図５（ｂ）に示すように、特徴語が複数の場合でも、それら複数の特徴語に対応するお勧めＵＲＬが、コンテンツデータベース３００のデータベースに記憶されている。  例えば、図５（ｂ）に示すように、特徴語が「スポーツ」と「Yahoo」の２つの場合には、「スポーツ」と「Yahoo」に対応するお勧めＵＲＬが「http://spots.yahoo.co.jp/」としてデータベースに記憶されているので、それが特徴語となる。
【０１５６】
そして、図５（ｂ）に示すように、特徴語が複数の場合でも、それらの特徴語が論理和で構成されていてもよい。つまり、図５（ｂ）に示すように、特徴語の１つが「野球」若しくは「ベースボール」であり、もう１つの特徴語「阪神」若しくは「タイガース」である場合には、データベースに記憶される内容に基づき、お勧めＵＲＬは「http://hanshintigers.jp/」であると決定される。
【０１５７】
次に、コンテンツ自動印刷システム１で行われる処理について、図６を参照して説明を行なう。
【０１５８】
図６は、コンテンツ自動印刷システム１で行われる処理について示したフローチャートである。
【０１５９】
図６に示すように、コンテンツ自動印刷システム１では、ＰＣ（１００）で、Ｗｅｂコンテンツの閲覧が行われる（ステップ６０１）。
【０１６０】
ＰＣ（１００）を操作してＷｅｂコンテンツを閲覧したユーザは、所望のＷｅｂコンテンツの印刷指示をＷｅｂブラウザ１０５から行なう（ステップ６０２）。
【０１６１】
ＰＣ（１００）でＷｅｂコンテンツの印刷指示が行われると（ステップ６０２）、印刷指示されたＷｅｂコンテンツの印刷データ（ＰＤＬデータ）がプリンタドライバ１０６で作成され、画像形成装置２００に送信される。
【０１６２】
ＰＣ（１００）から送信される印刷データ（ＰＤＬデータ）には、ＰＣ（１００）にログインして印刷を指示したユーザを識別するユーザ識別情報が含まれている。
【０１６３】
また、ＰＣ（１００）から送信される印刷データ（ＰＤＬデータ）に、ＰＣ（１００）を通信回線３に接続される他のパーソナルコンピュータと識別するＭＡＣアドレスやコンピュータ名等の装置識別情報が含まれていてもよい。
【０１６４】
画像形成装置２００は、ＰＣ（１００）からの印刷データを受信する（ステップ６０３）。
【０１６５】
画像形成装置２００が受信する印刷データは、例えば、図３を参照して説明したようなＰＤＬデータである。
【０１６６】
画像形成装置２００は、印刷データを受信すると、その印刷データを印刷実行部２０７で印刷し、また、受信した印刷データに基づいて、印刷指示されたＷｅｂコンテンツの特徴語を抽出する（ステップ６０４）。
【０１６７】
画像形成装置２００が行なう特徴語の抽出は、特徴語抽出機能２５２により行われる。
【０１６８】
特徴語抽出機能２５２は、上述したように、印刷データに記述されるＷｅｂコンテンツのテキストデータに基づいて特徴語を抽出する方法や、図４を参照して説明したような抽出ロジックを用いて特徴語を抽出する。
【０１６９】
画像形成装置２００は、特徴語抽出機能２５２によって、印刷指示されたＷｅｂコンテンツの特徴語を抽出すると、その後、抽出した特徴語をステップ６０３で受信した印刷データに含まれるユーザ識別情報と共にコンテンツデータベースサーバ３００に送信する（ステップ６０５）。
【０１７０】
コンテンツデータベースサーバ３００は、画像形成装置２００から特徴語をユーザ識別情報と共に受信する（ステップ６０６）。
【０１７１】
コンテンツデータベースサーバ３００は、図５を参照して説明したように、お勧めＵＲＬリスト作成機能３５１によって、受信した特徴語に基づいてお勧めＵＲＬリストを作成する（ステップ６０７）。
【０１７２】
コンテンツデータベースサーバ３００は、お勧めＵＲＬリストを作成すると、作成したお勧めＵＲＬリストをステップ６０６で受信したユーザ識別情報と共に画像形成装置２００に送信する（ステップ６０８）。
【０１７３】
画像形成装置２００は、お勧めＵＲＬリストとユーザ識別情報をコンテンツデータベースサーバ３００から受信すると（ステップ６０９）、受信したお勧めＵＲＬリストをユーザ識別情報に基づくユーザ毎にＨＤＤ２０５に記憶保存する（ステップ６１０）。
【０１７４】
ここでユーザ毎のお勧めＵＲＬリストをＨＤＤ２０５に記憶保存すると、画像形成装置２００は、次のような所定の動作を行なう（ステップ６１１）。
【０１７５】
すなわち、ステップ６１１で行なわれる画像形成装置２００の所定の動作の１つは、ステップ６１０で記憶保存したお勧めＵＲＬリストのＷｅｂコンテンツに画像形成装置２００のＷｅｂ機能２５４がアクセスし、そのＷｅｂコンテンツの印刷を印刷実行部２０７が実行するものである。
【０１７６】
また、ステップ６１１で行なわれる画像形成装置２００の所定の動作の１つは、ステップ６１０で記憶保存したお勧めＵＲＬリストのＷｅｂコンテンツに画像形成装置２００のＷｅｂ機能２５４がアクセスし、アクセスして取得したＷｅｂコンテンツのＨＴＭＬデータをＰＤＦ(Portable Document Format)ファイル等に変換してＰＣ（１００）にメール添付送信するものである。
【０１７７】
また、ステップ６１１で行なわれる画像形成装置２００の所定の動作の１つは、ステップ６１０で記憶保存したお勧めＵＲＬリストのＷｅｂコンテンツのサムネイル画像を生成し、そのサムネイル画像を画像形成装置２００が有するＥＷＳ（埋め込みＷｅｂサーバ）を利用して表示／操作部２０６に表示させるものである。  表示／操作部２０６にサムネイル画像が表示されると、画像形成装置２００を操作するユーザは、表示／操作部２０６より所望のサムネイル画像を選択することで、所望のＷｅｂコンテンツを印刷実行部２０７で印刷させることができる。  尚、ＥＷＳ（埋め込みＷｅｂサーバ）を利用してＷｅｂコンテンツを表示させる場合に、Ｗｅｂコンテンツのサムネイル画像を表示させるのではなく、別な表示方法（Ｗｅｂコンテンツのタイトルを表示させる等）で、ＷｅｂコンテンツをＥＷＳを利用して表示／操作部２０６に表示させてもよい。
【０１７８】
また、ステップ６１１で行なわれる画像形成装置２００の所定の動作の１つは、ステップ６１０で記憶保存したお勧めＵＲＬリストのＷｅｂコンテンツのサムネイル画像を生成し、そのサムネイル画像を画像形成装置２００が有するＥＷＳ（埋め込みＷｅｂサーバ）を利用して、ＰＣ（１００）の表示部１０１にＷｅｂブラウザ１０７にて表示させるものである。  ＰＣ（１００）を操作するユーザにとってみれば、ＰＣ（１００）のブラウザ１０７にて画像形成装置２００のＥＷＳ（埋め込みＷｅｂサーバ）を表示させ、お勧めＵＲＬリストのＷｅｂコンテンツのサムネイル画像を確認することができる。  そして、その際、ＰＣ（１００）を操作するユーザは、Ｗｅｂブラウザ１０７に表示されたサムネイル画像から、所望のＷｅｂコンテンツを選択して、画像形成装置２００に選択したサムネイル画像のＷｅｂコンテンツの印刷をさせることができる。  尚、ＥＷＳ（埋め込みＷｅｂサーバ）を利用してＷｅｂコンテンツをＰＣ（１００）の表示部１０１に表示させる場合に、Ｗｅｂコンテンツのサムネイル画像を表示させるのではなくて、別な表示方法（Ｗｅｂコンテンツのタイトルを表示させる等）で、ＷｅｂコンテンツをＥＷＳを利用してＰＣ（１００）の表示部１０１に表示させてもよい。
【０１７９】
また、ステップ６１１で行なわれる画像形成装置２００の所定の動作の１つは、ステップ６１０で記憶保存したお勧めＵＲＬリストを画像形成装置２００が有する電子メールソフトで電子メールに記載してＰＣ（１００）に送るものである。  その際、電子メールが送られたＰＣ（１００）を操作するユーザは、上述したようなＰＣ（１００）のブラウザ１０７に表示されるＥＷＳ（埋め込みＷｅｂサーバ）のサムネイル画像より所望のＷｅｂコンテンツを指定して画像形成装置２００に指定したＷｅｂコンテンツを印刷させることができる。  また、電子メールでお勧めＵＲＬリストを受信したＰＣ（１００）を操作するユーザは、画像形成装置２００まで出向いて、上述したような画像形成装置２００のＥＷＳ（埋め込みＷｅｂサーバ）を利用したＷｅｂコンテンツの表示／操作部２０６への表示より所望のＷｅｂコンテンツを指定して、画像形成装置２００に指定したＷｅｂコンテンツを印刷させることができる。
【０１８０】
また、ステップ６１１で行なわれる画像形成装置２００の所定の動作に関連して、画像形成装置２００のＥＷＳ（埋め込みＷｅｂサーバ）を利用してお勧めＵＲＬリストを表示させる際に、画像形成装置２００は、ＥＷＳ（埋め込みＷｅｂサーバ）にアクセスしてきたクライアントがモバイルデバイスかパーソナルコンピュータかに応じて、ＥＷＳ（埋め込みＷｅｂサーバ）で表示するお勧めＵＲＬリストの表示形式を異ならせることができる。  例えば、アクセスしてきたクライアントがモバイルデバイスである場合には、お勧めＵＲＬリストを簡易的なテキストベースのＵＲＬリストとして表示するようにし、アクセスしてきたクライアントがパーソナルコンピュータである場合には、お勧めＵＲＬリストをＷｅｂコンテンツのサムネイル画像を含んで、モバイルデバイスに対する表示に比べて表示画面のデータ容量を多く使ってユーザに見やすいリッチな表示画面で表示するようにすることができる。
【０１８１】
このようなステップ６１１で行なわれる画像形成装置２００の所定の動作について、予め画像形成装置２００で、どの所定の動作を実行させるかの設定が可能であり、また、ＥＷＳ（埋め込みＷｅｂサーバ）を通してＰＣ（１００）から、どの所定の動作を実行させるかの設定が可能である。
【０１８２】
また、このようなステップ６１１で行なわれる画像形成装置２００の所定の動作の設定は、ユーザ毎に異なった設定をしてもよい。
【０１８３】
このように、お勧めＵＲＬリストをコンテンツデータベースサーバ３００から受信した画像形成装置２００は、ステップ６１１として、予め設定された所定の動作を行う。
【０１８４】
その後、画像形成装置２００は、お勧めＵＲＬリスト記憶機能２５３によって記憶したお勧めＵＲＬリストに記載されるＷｅｂコンテンツが更新されているかどうかを確認する処理を更新確認機能２５５が行なう。  更新確認機能２５５がＷｅｂコンテンツの更新の確認を行なう（ステップ６１３の処理を行なう）時期は、図２を参照して更新確認機能２５５を説明する個所で説明した上述のような種々の時期を画像形成装置２００に設定することができる。
【０１８５】
ここでは、更新確認機能２５５がＷｅｂコンテンツの更新の確認を行なう時期として、更新確認機能２５５が定期的に更新の確認を行なう場合を例に説明する。
【０１８６】
画像形成装置２００で、ステップ６１１で所定の動作が行なわれた後に、予め設定された一定時間が経過すると（ステップ６１２でＹＥＳ）、更新確認機能２５５は、お勧めＵＲＬリスト記憶機能２５３でＨＤＤ２０５に記憶されたお勧めＵＲＬリストのＷｅｂコンテンツが更新されているかどうかを確認する処理を行なう（ステップ６１３）。
【０１８７】
ステップ６１３で更新されているかどうかの確認を行なった結果、Ｗｅｂコンテンツが新たに更新されていないことが確認されると（ステップ６１４でＮＯ）、処理はステップ６１２に戻り、再度一定時間が経過した後に更新確認機能２５５によって更新確認が行われる。
【０１８８】
また、ステップ６１３で更新されているかどうかの確認を行なった結果、Ｗｅｂコンテンツが新たに更新されていることが確認されると（ステップ６１４でＹＥＳ）、画像形成装置２００は、ステップ６１５の処理として、次のような所定の動作を行なう。
【０１８９】
すなわち、ステップ６１５で行なわれる画像形成装置２００の所定の動作の１つは、ステップ６１３で更新確認した結果、新たに更新されていると確認されたＷｅｂコンテンツに対して画像形成装置２００のＷｅｂ機能２５４がアクセスし、そのＷｅｂコンテンツの印刷を印刷実行部２０７が実行するものである。
【０１９０】
また、ステップ６１５で行なわれる画像形成装置２００の所定の動作の１つは、ステップ６１３で更新確認した結果、新たに更新されていると確認されたＷｅｂコンテンツに対して画像形成装置２００のＷｅｂ機能２５４がアクセスし、アクセスして取得したＷｅｂコンテンツのＨＴＭＬデータをＰＤＦファイル等に変換してＰＣ（１００）にメール添付送信するものである。
【０１９１】
また、ステップ６１５で行なわれる画像形成装置２００の所定の動作の１つは、ステップ６１３で更新確認した結果、新たに更新されていると確認されたＷｅｂコンテンツに対して画像形成装置２００のＷｅｂ機能２５４がアクセスし、アクセスして取得したＷｅｂコンテンツのサムネイル画像を生成し、そのサムネイル画像を画像形成装置２００が有するＥＷＳ（埋め込みＷｅｂサーバ）を利用して表示／操作部２０６に表示させるものである。  表示／操作部２０６にサムネイル画像が表示されると、画像形成装置２００を操作するユーザは、表示／操作部２０６より所望のサムネイル画像を選択することで、所望のＷｅｂコンテンツを印刷実行部２０７で印刷させることができる。  尚、ＥＷＳ（埋め込みＷｅｂサーバ）を利用してＷｅｂコンテンツを表示させる場合に、Ｗｅｂコンテンツのサムネイル画像を表示させるのではなく、別な表示方法（Ｗｅｂコンテンツのタイトルを表示させる等）で、ＷｅｂコンテンツをＥＷＳを利用して表示／操作部２０６に表示させてもよい（印刷指示される場合には所望のＷｅｂコンテンツが選択される。）。  また、ＥＷＳ（埋め込みＷｅｂサーバ）を利用してＷｅｂコンテンツを表示させる場合に、更新確認されたＷｅｂコンテンツ以外にも、お勧めＵＲＬリストに更新されていないＵＲＬがある際には、更新が確認されたＷｅｂコンテンツについてのサムネイル画像やタイトル等を表示させてもよいし、更新が確認されていないＷｅｂコンテンツを含めたＷｅｂコンテンツについてのサムネイル画像やタイトル等を表示させてもいい。
【０１９２】
また、ステップ６１５で行なわれる画像形成装置２００の所定の動作の１つは、ステップ６１３で更新確認した結果、新たに更新されていると確認されたＷｅｂコンテンツに対して画像形成装置２００のＷｅｂ機能２５４がアクセスし、アクセスして取得したＷｅｂコンテンツのサムネイル画像を生成し、そのサムネイル画像を画像形成装置２００が有するＥＷＳ（埋め込みＷｅｂサーバ）を利用して、ＰＣ（１００）の表示部１０１にＷｅｂブラウザ１０７にて表示させるものである。  ＰＣ（１００）を操作するユーザにとってみれば、ＰＣ（１００）のブラウザ１０７にて画像形成装置２００のＥＷＳ（埋め込みＷｅｂサーバ）を表示させ、お勧めＵＲＬリストのＷｅｂコンテンツのサムネイル画像を確認することができる。  そして、その際、ＰＣ（１００）を操作するユーザは、Ｗｅｂブラウザ１０７に表示されたサムネイル画像から、所望のＷｅｂコンテンツを選択して、画像形成装置２００に選択したサムネイル画像のＷｅｂコンテンツの印刷をさせることができる。  尚、ＥＷＳ（埋め込みＷｅｂサーバ）を利用してＷｅｂコンテンツをＰＣ（１００）の表示部１０１に表示させる場合に、Ｗｅｂコンテンツのサムネイル画像を表示させるのではなくて、別な表示方法（Ｗｅｂコンテンツのタイトルを表示させる等）で、ＷｅｂコンテンツをＥＷＳを利用してＰＣ（１００）の表示部１０１に表示させてもよい（印刷指示される場合には所望のＷｅｂコンテンツが選択される。）。  また、ＥＷＳ（埋め込みＷｅｂサーバ）を利用してＷｅｂコンテンツを表示させる場合に、更新確認されたＷｅｂコンテンツがお勧めＵＲＬリストの複数のＵＲＬのうちの１つである場合には、そのお勧めＵＲＬリストにある他の更新されていないＵＲＬのＷｅｂコンテンツについてのサムネイル画像やタイトル等を更新されていないことが明らかになるようにして更新されたＷｅｂコンテンツと共に表示させてもよいし、或いは、更新されたＷｅｂコンテンツだけを表示させるようにしてもよい。
【０１９３】
また、ステップ６１５で行なわれる画像形成装置２００の所定の動作の１つは、お勧めＵＲＬリストが新たに更新されたことを画像形成装置２００が有する電子メールソフトで電子メールに記載してＰＣ（１００）に送るものである。
【０１９４】
また、ステップ６１５で行なわれる画像形成装置２００の所定の動作の１つは、ステップ６１３で更新確認した結果、新たに更新されていると確認されたＷｅｂコンテンツのリストを画像形成装置２００が有する電子メールソフトで電子メールに記載してＰＣ（１００）に送るものである。  その際、電子メールが送られたＰＣ（１００）を操作するユーザは、上述したようなＰＣ（１００）のブラウザ１０７に表示されるＥＷＳ（埋め込みＷｅｂサーバ）のサムネイル画像より、新たに更新された所望のＷｅｂコンテンツを指定して画像形成装置２００に指定したＷｅｂコンテンツを印刷させることができる。  また、電子メールでお勧めＵＲＬリストを受信したＰＣ（１００）を操作するユーザは、画像形成装置２００まで出向いて、上述したような画像形成装置２００のＥＷＳ（埋め込みＷｅｂサーバ）を利用したＷｅｂコンテンツの表示／操作部２０６への表示より、新たに更新された所望のＷｅｂコンテンツを指定して、画像形成装置２００に指定したＷｅｂコンテンツを印刷させることができる。
【０１９５】
また、ステップ６１５で行なわれる画像形成装置２００の所定の動作に関連して、画像形成装置２００のＥＷＳ（埋め込みＷｅｂサーバ）を利用してお勧めＵＲＬリストを表示させる際に、画像形成装置２００は、ＥＷＳ（埋め込みＷｅｂサーバ）にアクセスしてきたクライアントがモバイルデバイスかパーソナルコンピュータかに応じて、ＥＷＳ（埋め込みＷｅｂサーバ）で表示するお勧めＵＲＬリストの表示形式を異ならせることができる。  例えば、アクセスしてきたクライアントがモバイルデバイスである場合には、お勧めＵＲＬリストを簡易的なテキストベースのＵＲＬリストとして表示するようにし、アクセスしてきたクライアントがパーソナルコンピュータである場合には、お勧めＵＲＬリストをＷｅｂコンテンツのサムネイル画像を含んで、モバイルデバイスに対する表示に比べて表示画面のデータ容量を多く使ってユーザに見やすいリッチな表示画面で表示するようにすることができる。
【０１９６】
また、ステップ６１５で行なわれる画像形成装置２００の所定の動作の１つは、画像形成装置２００の更新確認機能２５５がＲＳＳを利用してお勧めＵＲＬリストのＷｅｂコンテンツが更新されているか否かを確認する場合に、お勧めＵＲＬリストのＷｅｂコンテンツ（Ｗｅｂサイト）から送られるＲＳＳフィードに新規追加されたものに自動的にアクセスして取得し、その取得したＷｅｂコンテンツを自動的に印刷するようにすることや、或いはお勧めＵＲＬリストのＷｅｂコンテンツ（Ｗｅｂサイト）から送られるＲＳＳフィードに新規追加されたもののＵＲＬをメールに記述して電子メールでＰＣ（１００）に送信するようにすることもできる。
【０１９７】
このように、ステップ６１５で行なわれる画像形成装置２００の所定の動作は、予め画像形成装置２００に設定することができ、また、ＥＷＳ（埋め込みＷｅｂサーバ）を通してＰＣ（１００）から設定することもできる。
【０１９８】
また、このようなステップ６１５で行なわれる画像形成装置２００の所定の動作の設定は、ユーザ毎に異なった設定をしてもよい。
【０１９９】
このように、お勧めＵＲＬリストが新たに更新されたことを確認した場合には（ステップ６１４でＹＥＳ）、ステップ６１５の処理として、予め設定された所定の動作を行う。
【０２００】
尚、画像形成装置２００の特徴語抽出機能２５２が印刷データから特徴語を抽出する際に、ＨＤＤ２０５に、ユーザ毎（ゲスト扱いを含める。また、端末毎とすることもできる）に特徴語の履歴を記憶し、その特徴語の履歴に基づいてコンテンツデータベースサーバ３００に送る特徴語を決定してもよい。  例えば、「１０ジョブ単位」「１日単位」など、ある一定の期間に各ユーザが印刷指示した印刷データより抽出した特徴語を特徴語履歴として記憶しておき、その特徴語履歴を集計することにより、コンテンツデータベースサーバ３００に送る特徴語を決定する。  また、ユーザ毎（ゲスト扱いを含める。また、端末毎とすることもできる。）に特徴語の履歴を記憶して、その履歴に基づいてコンテンツデータベースサーバ３００に送る特徴語を決定する場合に、「１０ジョブ単位」「１日単位」などの一定の期間が経過すると、前回経過した一定の期間に蓄積した特徴語の履歴は一度削除して、今回経過した一定の期間に蓄積した特徴語に基づいて、コンテンツデータベースサーバ３００に送る特徴語を決定してもよい。このように構成することにより、ユーザ（端末毎の場合には端末）の近々の特定の期間における嗜好性の傾向を踏まえた特徴語の決定が行われる。  また、ユーザ毎（ゲスト扱いを含める。また、端末毎とすることもできる。）に特徴語の履歴を記憶して、その履歴に基づいてコンテンツデータベースサーバ３００に送る特徴語を決定する場合に、「１０ジョブ単位」「１日単位」などの一定の期間が経過しても、前回経過した一定の期間までに蓄積した特徴後の履歴を削除せずに、今回経過した一定の期間に蓄積した特徴語と前回経過した一定の期間までに蓄積した特徴語とに基づいて、コンテンツデータベースサーバ３００に送る特徴語を決定してもよい。このように構成することにより、ユーザ（端末毎の場合には端末）の長期にわたる嗜好性の傾向を踏まえた特徴語の決定が行われる。そして、その際、どの期間の蓄積された特徴語を削除するかは任意に設定できるものとする。
【０２０１】
尚、お勧めＵＲＬリスト記憶機能２５３は、Ｗｅｂコンテンツを印刷指示したユーザ毎にお勧めＵＲＬリストを記憶保存するように説明したが、ユーザ毎だけでなく、Ｗｅｂコンテンツの印刷データを送信した端末毎（パーソナルコンピュータ毎）にお勧めＵＲＬリストを記憶保存するように構成することもできる。その際には、ＰＣ（１００）から画像形成装置２００に送られる印刷データにＰＣ（１００）を識別する識別情報が含まれ、また、画像形成装置２００からコンテンツデータベースサーバ３００に送られる特徴語にその識別情報が付与され、また、コンテンツデータベースサーバ３００から画像形成装置２００に送られるお勧めＵＲＬリストにその識別情報が付与され、画像形成装置２００は受信したお勧めＵＲＬリストをその識別情報毎（端末毎）にＨＤＤ２０５に記憶保存する。そのように端末毎に記憶保存した場合には、更新確認機能２５５がお勧めＵＲＬリストの更新確認を行なう時期を、端末から送られる印刷データを印刷した場合にして、画像形成装置は、その端末に対応して記憶されるお勧めＵＲＬリストのＷｅｂコンテンツの更新を確認するようにすることもできる。
【０２０２】
尚、お勧めＵＲＬリスト記憶機能２５３が保存するお勧めＵＲＬリストのＷｅｂコンテンツの更新が確認される処理として、画像形成装置２００による更新確認だけでなく、ＰＣ（１００）で更新確認が行われるようにすることもできる。  その際には、お勧めＵＲＬリスト記憶機能２５３が保存するお勧めＵＲＬリストがＰＣ（１００）に送信され、ＰＣ（１００）の記憶部１０６に記憶される。  そして、ＰＣ（１００）の記憶部１０６に記憶されて制御部１０４によって制御されてＰＣ（１００）の動作中に常駐される更新確認ソフトが、お勧めＵＲＬリストのＷｅｂコンテンツが更新されていないかを定期的に確認する。  ＰＣ（１００）の更新確認ソフトがＷｅｂコンテンツが更新されていることを確認すると、ＰＣ（１００）では、表示部１０１に、お勧めＵＲＬリストのＷｅｂコンテンツが更新されたことを示すポップアップ表示が表示される。  ＰＣ（１００）のユーザは、表示部１０１に表示されるポップアップ表示により、お勧めＵＲＬリストのＷｅｂコンテンツが更新されたことを確認した後に、そのＷｅｂコンテンツを印刷するかどうかを決めることができる。
【０２０３】
尚、お勧めＵＲＬリスト記憶機能２５３が保存するお勧めＵＲＬリストのＷｅｂコンテンツの更新が確認される処理として、インターネット上に存在するＷｅｂサーバ４側或いはＦＴＰサーバ５側がＷｅｂコンテンツが更新された時点で画像形成装置２００或いはＰＣ（１００）に更新確認の事実を送信するようにすることもできる。  その際には、もちろん、Ｗｅｂサーバ４或いはＦＴＰサーバ５に、Ｗｅｂコンテンツが更新された時点で更新確認の事実を画像形成装置２００或いはＰＣ（１００）に送信するプログラムが記憶されて実行される。
【０２０４】
尚、コンテンツ自動印刷システム１は、画像形成装置２００で抽出した特徴語がコンテンツデータベースサーバ３００に送信されて、コンテンツデータベースサーバ３００がその特徴語に基づきお勧めＵＲＬリストを作成するように説明したが、画像形成装置２００が特徴語を抽出した後に、画像形成装置２００が、Ｗｅｂ機能２５４を使用して、抽出した特徴語をインターネット２上の検索エンジン（例えば、Google、Yahoo）に入力して検索を行い、その結果検索されたＵＲＬをお勧めＵＲＬとしてお勧めＵＲＬリストを作成することも出来る。  その際には、検索エンジンで検索された結果の上位から所定の数のＵＲＬをお勧めＵＲＬとしてお勧めＵＲＬリストを作成することも出来る。
【０２０５】
尚、図６のステップ６１１やステップ６１５の処理で、画像形成装置２００のＥＷＳ（埋め込みＷｅｂサーバ）により表示されたお勧めＵＲＬのＷｅｂコンテンツがユーザにより印刷指示されて印刷された場合に、そのユーザや印刷されたＷｅｂコンテンツをＨＤＤ２０５或いはＰＣ（１００）の記憶部１０５或いはコンテンツデータベースサーバ３００の記憶部３０２に記憶しておき、その記憶した情報を、そのユーザの次回のお勧めＵＲＬの表示や、或いはコンテンツデータベースサーバ３００の記憶部３００に記憶されるデータベースの更新に活用することもできる。ユーザの次回のお勧めＵＲＬの表示に活用する場合には、例えば、ＥＷＳ等によりそのユーザのお勧めＵＲＬリストを表示する場合に（メールでのお勧めＵＲＬリストの通知の場合も含む）、そのユーザにより印刷指示されてＨＤＤ２０５等に記憶されたＷｅｂコンテンツを優先的に目立つ場所に表示する（リスト表示の上位に表示する）。また、データベースの更新に活用する場合には、まず、そのユーザにより印刷指示されてＨＤＤ２０５に記憶されたＷｅｂコンテンツから画像形成装置２００の特徴語抽出機能２５２が複数の特徴語を抽出する。そして、抽出された特徴語に対応するお勧めＵＲＬがコンテンツデータベース３００のデータベースに記録されていない場合には、そのユーザにより印刷指示されてＨＤＤ２０５に記憶されたＷｅｂコンテンツをその抽出された特徴語に対応するお勧めＵＲＬとしてデータベースに記録することにより、データベースを更新する。
【０２０６】
尚、図２を参照して説明した更新確認機能２５５が更新確認を行なう時期に更新確認機能２５５がお勧めＵＲＬの更新確認を行なって新たに更新されたことが確認された場合に、図６を参照して説明したステップ６１５で行なわれる画像形成装置２００の所定の動作として説明した各々の動作が行なわれるようにすることもできる。
【０２０７】
尚、お勧めＵＲＬリスト記憶機能２５３は、ユーザが印刷指示したＷｅｂコンテンツの特徴語に基づいて作成されたお勧めＵＲＬリストが記憶されるように説明したが、作成されたお勧めＵＲＬリストにそのユーザが印刷指示したＷｅｂコンテンツのＵＲＬを加えて記憶するようにしてもよい。
【実施例２】
【０２０８】
第１実施例では、コンテンツ自動印刷システム１上の装置が直接インターネット２のＷｅｂサーバ等にアクセスするシステムを説明したが、第２実施例では、プロキシサーバ４００を介してインターネット２のＷｅｂサーバ等へのアクセスが行なわれるシステムを説明する。
【０２０９】
まず、本願発明に係るコンテンツ自動印刷システム１０について、図７を参照して説明を行なう。
【０２１０】
図７は、コンテンツ自動印刷システム１０を示す構成図である。
【０２１１】
第２実施例では、第１実施例での説明に使用した参照番号と同じ参照番号を有する装置、その装置の各構成部は、特に説明がない限り第１実施例で説明した内容と同じ構成、機能を有するものとして説明を行う。さらに、第１実施例で使用した用語（Ｗｅｂコンテンツ等）は、第２実施例でも同じ意味を有するものとして説明を行なう。
【０２１２】
コンテンツ自動印刷システム１０は、図７に示すように、通信回線にＰＣ（１００）、画像形成装置２００、コンテンツデータベースサーバ３００、プロキシサーバ４００が接続されている。
【０２１３】
コンテンツ自動印刷システム１０では、図７に示すように、ＰＣ（１００）、画像形成装置２００、コンテンツデータベースサーバ３００は、インターネット２に直接接続されておらず、それら各装置は、プロキシサーバ４００を介してインターネット２に接続する。つまり、プロキシサーバ４００は、直接インターネット２に接続できないＰＣ（１００）、画像形成装置２００、コンテンツデータベースサーバ３００に代わって、「代理」としてインターネット２との接続を行う。
【０２１４】
プロキシサーバ４００は、演算部４０１、制御部４０２、記憶部４０３を有する。
【０２１５】
演算部４０１は、ＣＰＵで構成され、制御部４０２の指示に従って演算を実行する。
【０２１６】
制御部４０２は、ＣＰＵで構成され、演算部４０１に対して制御を行なう。
【０２１７】
記憶部４０３は、ＲＡＭ、ＲＯＭ、ＨＤＤ等の記憶装置で構成され、プロキシサーバ４００を動作させるプログラム等が記憶されており、また、プロブラムの実行時の作業メモリ領域としての機能を担い、また、ユーザ毎（或いは端末毎でも可）のお勧めＵＲＬリスト等を記憶する。
【０２１８】
また、記憶部４０３には、画像形成装置２００の印刷データ（ＰＤＬデータ）を生成するプリンタドライバ４０４が記憶される。
【０２１９】
このように構成されるコンテンツ自動印刷システム１０では、まず、ＰＣ（１００）を操作するユーザがＰＣ（１００）のＷｅｂブラウザ１０７でインターネット上のＷｅｂコンテンツを閲覧する。ＰＣ（１００）から行なわれるインターネット上のＷｅｂコンテンツの閲覧は、ＰＣ（１００）がプロキシサーバ４００に閲覧を希望するＵＲＬを送り（ＵＲＬの閲覧を指示する）、プロキシサーバ４００がそのＵＲＬのＨＴＭＬ文書をインターネット２から取得して、取得されたＨＴＭＬ文書がプロキシサーバ４００からＰＣ（１００）に送られることにより行なわれる。ＰＣ（１００）から閲覧希望のＵＲＬがプロキシサーバ４００に送られる際には、ＵＲＬの閲覧を指示したＰＣ（１００）にログインしているユーザの識別情報或いはＰＣ（１００）の端末識別情報がＰＣ（１００）からプロキシサーバ４００に送られる。
【０２２０】
ＰＣ（１００）を操作するユーザがプロキシサーバ４００を介してインターネット２上のＷｅｂコンテンツのデータ（ＨＴＭＬ文書やファイル等）を取得して閲覧すると、プロキシサーバ４００は、ＰＣ（１００）からの指示でインターネット２上から取得してＰＣ（１００）に送信したＷｅｂコンテンツのデータをユーザ毎（或いは端末毎でも可）に取得する。
【０２２１】
そして、プロキシサーバ４００は、取得したＷｅｂコンテンツのデータに基づいて特徴語を抽出し、抽出した特徴語をコンテンツデータベースサーバ３００に送る。
【０２２２】
特徴語が送られたコンテンツデータベースサーバ３００は、その特徴語に基づいて、ＰＣ（１００）を操作してＷｅｂコンテンツを閲覧したユーザにお勧めするＷｅｂコンテンツのＵＲＬのリストであるお勧めＵＲＬリストを作成する。
【０２２３】
コンテンツデータベースサーバ３００で作成されたお勧めＵＲＬリストは、プロキシサーバ４００に送られ、プロキシサーバ４００の記憶部４０３に記憶される。
【０２２４】
そして、お勧めＵＲＬリストを記憶したプロキシサーバ４００は、設定されている時期（例えば予め設定された時刻）に、そのお勧めＵＲＬリストに記載されるＷｅｂコンテンツが更新されているかどうかを確認する。
【０２２５】
お勧めＵＲＬリストのＷｅｂコンテンツが更新されていることを確認したプロキシサーバ４００は、更新されたＷｅｂコンテンツを画像形成装置２００に印刷させたり、更新されたＷｅｂコンテンツを電子メールでＰＣ（１００）に送信したりする。  或いは、お勧めＵＲＬリストのＷｅｂコンテンツが更新されていることを確認したプロキシサーバ４００は、更新されたＷｅｂコンテンツのデータを記憶部４０３に記憶保存しておき、画像形成装置２００からの指示に応じて記憶部４０３に記憶保存していた「更新されたＷｅｂコンテンツ」のデータを画像形成装置２００に送る。
【０２２６】
次に、プロキシサーバ４００が有する機能について、図８を参照して説明を行なう。
【０２２７】
図８は、プロキシサーバ４００が有する一部の機能を示すブロック図である。
【０２２８】
プロキシサーバ４００は、図８に示すように、コンテンツ情報取得機能８０１、特徴語抽出機能８０２、お勧めＵＲＬリスト記憶機能８０３、Ｗｅｂ機能８０４、更新確認機能８０５、印刷機能８０６を有する。
【０２２９】
図８に示すコンテンツ情報取得に示すコンテンツ情報取得機能８０１は、ユーザが閲覧したＷｅｂコンテンツのデータを取得する機能であり、プロキシサーバ４００は、ＰＣ（１００）からの指示に基づいてインターネット２のＷｅｂサーバ４やＦＴＰサーバ５から取得してＰＣ（１００）に送ったＨＴＭＬ文書やファイルを、ＰＣ（１００）を操作するユーザが閲覧したＷｅｂコンテンツであるとして取得する。コンテンツ情報取得機能８０１は、制御部４０２の制御により行なわれる。
【０２３０】
図８に示す特徴語抽出機能８０２は、コンテンツ情報取得機能８０１が取得したＷｅｂコンテンツのデータから特徴語を抽出する。特徴語抽出機能８０２は、制御部４０２の制御により行なわれる。
【０２３１】
Ｗｅｂコンテンツから抽出される特徴語は、そのＷｅｂコンテンツの特徴を表す語句であり、例えば、そのＷｅｂコンテンツに出現した数が最も多い語句を特徴語とすることができる。
【０２３２】
特徴語抽出機能８０２は、ＰＣ（１００）がＵＲＬ閲覧の指示をプロキシサーバ４００に送った際にＰＣ（１００）からＰＣ（１００）を操作するユーザのユーザ識別情報或いはＰＣ（１００）の端末情報を取得する。
【０２３３】
特徴語抽出機能８０２は、コンテンツ情報取得機能８０１が取得したＷｅｂコンテンツから、基本的にそのＷｅｂコンテンツのタイトルから特徴語を抽出する。
【０２３４】
また、特徴語抽出機能８０２は、コンテンツ情報取得機能８０１が取得したＷｅｂコンテンツから、そのＷｅｂコンテンツの本文から特徴語を抽出することもできる。
【０２３５】
また、特徴語抽出機能８０２は、コンテンツ情報取得機能８０１が取得したＷｅｂコンテンツから、そのＷｅｂコンテンツの本文に最も多く含まれる語句を特徴語として抽出することもできる。
【０２３６】
特徴語抽出機能８０２がＷｅｂコンテンツのタイトルや本文から特徴語を抽出する方法は、例えば、特開２００２−７３６８１号公報（段落００６２〜段落０１９５）の技術を利用することができるが、他の方法を利用してもよい。
【０２３７】
図８に示すお勧めＵＲＬリスト記憶機能８０３は、コンテンツデータベースサーバ３００より送られるお勧めＵＲＬリストを記憶部４０３に記憶して保存する。お勧めＵＲＬリスト記憶機能８０３は、お勧めＵＲＬリストがコンテンツデータベースサーバ３００で作成される際に元となった特徴語が抽出されたＷｅｂコンテンツを閲覧したユーザ毎に、そのお勧めＵＲＬリストを記憶保存する。プロキシサーバ４００が行なうユーザの判断は、ＰＣ（１００）から送られるＵＲＬの閲覧指示の際の送られるＰＣ（１００）にログインしたユーザ識別情報やＰＣ（１００）の識別情報によって行われることが可能である。
【０２３８】
図８に示すＷｅｂ機能８０４は、ＰＣ（１００）や画像形成装置２００やコンテンツデータベースサーバ３００から送られるＵＲＬに基づきインターネット２に接続して、送られたＵＲＬのＷｅｂコンテンツのデータ（ＨＴＭＬ文書やファイル等）を取得する。例えば、指定のＵＲＬがＷｅｂサーバ４である場合には、ＨＴＴＰを使ってＷｅｂコンテンツのＨＴＭＬ文書を取得し、また、指定のＵＲＬがＦＴＰサーバ５である場合には、ＦＴＰを使ってＷｅｂコンテンツのファイルを取得する。  プロキシサーバ４００は、Ｗｅｂ機能２５４を機能させるために、記憶部４０３に、ＨＴＴＰを使ってＷｅｂサーバ４からＨＴＭＬを取得するプログラムと、ＦＴＰを使ってＦＴＰサーバ５からファイルを取得するプログラムとを記憶している。  そして、制御部４０２がそのプログラムを呼び出して制御することによりＷｅｂ機能８０４が行なわれる。
【０２３９】
図８に示す更新確認機能８０５は、お勧めＵＲＬリスト記憶機能８０３が保存するお勧めＵＲＬリストのＷｅｂコンテンツが更新されていないかどうかを確認する処理を行う。  プロキシサーバ４００は更新確認を実行するプログラムを記憶部４０３に記憶しており、制御部４０２がそのプログラムを呼び出して制御することにより更新確認機能８０５が行われる。
【０２４０】
更新確認機能８０５がお勧めＵＲＬリストのＷｅｂコンテンツの更新確認を行なう時期とその方法について説明を行なう。
【０２４１】
まず、更新の確認を行なう時期について説明する。  プロキシサーバ４００は、更新確認機能８０５を、次のような時期に行なうようにすることができる。
【０２４２】
例えば、プロキシサーバ４００は、更新確認機能８０５を、プロキシサーバ４００やＰＣ（１００）や画像形成装置２００の電源が入れられて起動した直後に行なうようにすることができる。
【０２４３】
また、プロキシサーバ４００は、更新確認機能８０５を、プロキシサーバ４００に予め設定された時刻（日時でもいい）に行なうようにすることができる。
【０２４４】
また、プロキシサーバ４００は、更新確認機能８０５を、プロキシサーバ４００に予め設定された時間毎に定期的に行なうようにすることができる。
【０２４５】
また、プロキシサーバ４００は、更新確認機能８０５を、ユーザが画像形成装置２００の表示／操作部２０６に表示される更新確認ボタンを押下して指示した時点で行なうようにすることができる。その際、画像形成装置２００の表示／操作部２０６に表示される更新確認ボタンが押下されると、更新確認を行なう指示がプロキシサーバ４００に送られ、プロキシサーバ４００はその指示に応じて更新確認を行なう。
【０２４６】
また、プロキシサーバ４００は、ＰＣ（１００）のＷｅｂブラウザ１０７の画面上に画像形成装置２００が有するＥＷＳ（埋め込みＷｅｂサーバ）の画面が表示されて、そのＥＷＳの画面上に表示される更新確認ボタンをＰＣ（１００）を操作するユーザが押下して指示した時点で画像形成装置２００からプロキシサーバ４００に更新確認を行なう指示が送られて、プロキシサーバ４００で更新確認機能８０５が行なわれるようにすることができる。
【０２４７】
また、プロキシサーバ４００は、ＰＣ（１００）の表示部１０１に表示される更新確認ボタンをユーザが押下して指示した時点でＰＣ（１００）からプロキシサーバ４００に更新確認の指示が送られて更新確認機能８０５が行われるようにすることができる。
【０２４８】
ＰＣ（１００）から送られる印刷データを画像形成装置２００が印刷した場合に、印刷を指示したユーザ（或いは端末）に対応するお勧めＵＲＬリストの更新の確認が更新確認機能８０５によって行なわれるようにもできる。  その際には、画像形成装置２００が印刷データを印刷するとその印刷データを送信したユーザ（或いは端末）のユーザ識別情報（或いは端末識別情報）をＣＰＵ２０１が取得して、ＣＰＵ２０１はプロキシサーバ４００にそのユーザ識別情報（或いは端末識別情報）とそのユーザ（或いは端末）のお勧めＵＲＬリストの更新確認の指示を送る。そして、更新確認機能８０５がＷｅｂコンテンツの更新を確認すると、そのＷｅｂコンテンツのＨＴＭＬ文書をＰＤＬデータに変換して画像形成装置２００に送り、画像形成装置２００でそのＷｅｂコンテンツの印刷が行われる。  更新確認機能８０５の更新確認の時期をそのようにすることにより、ＰＣ（１００）より印刷指示をしたユーザが印刷結果物を画像形成装置２００に取りに来るときに、更新されたＷｅｂコンテンツが印刷された印刷結果物をも取得することができ、二度手間にならずに便利である。  
また、プロキシサーバ４００は、ＰＣ（１００）のログイン状況を確認して、ＰＣ（１００）がログインされている場合には、ユーザが在席しているものとして、そのユーザに対応するお勧めＵＲＬリストの更新確認の頻度を増やすことができる。
【０２４９】
また、プロキシサーバ４００は、ＰＣ（１００）のログイン状況を確認して、ＰＣ（１００）がログインされていない場合には、ユーザが在席していないものとして、そのユーザに対応するお勧めＵＲＬリストの更新確認の頻度を減らす、若しくは、更新確認をせずに、画像形成装置２００の負荷を下げることができる。
【０２５０】
プロキシサーバ４００は、ＰＣ（１００）のログイン状況を確認するための適切なプロトコルを使用して、ログイン状況を確認する。  例えば、プロキシサーバ４００は、ログイン状況を確認するために、ＳＮＭＰなどを使ったＭＩＢ情報を利用することができる。
【０２５１】
また、プロキシサーバ４００は、画像形成装置２００の印刷実行部２０７で印刷を行う状態が終了した後に、アイドリング状態となった場合に、更新確認機能８０５を行って、お勧めＵＲＬリストのＷｅｂコンテンツの更新確認を行なうようにすることができる。  
また、プロキシサーバ４００は、過去の更新された記録をお勧めＵＲＬ毎に記憶部４０３に記憶しておき、その記録に基づき各々のお勧めＵＲＬの更新タイミングを更新確認機能８０５が予測して、その予測を更新確認する時期に反映させることができる。  つまり、過去の更新された記録が高頻度で更新されているお勧めＵＲＬの場合には、次回の更新の更新間隔も短いと予測できるので、更新確認機能８０５は更新確認を高頻度に行なうようにすることができる。
【０２５２】
また、過去の更新された記録が低頻度で更新されているお勧めＵＲＬの場合（例えば前回の更新が半年前のようなＷｅｂコンテンツ）には、次回の更新の更新間隔も長いと予測できるので、更新確認機能８０５は更新間隔を低頻度に行なう（更新確認の間隔を伸ばす）ようにすることができる。
【０２５３】
また、プロキシサーバ４００は、画像形成装置２００から更新確認の要求を受付けた場合に、更新確認機能８０５を行わせるようにすることができる。  画像形成装置２００がプロキシサーバ４００に更新確認の要求を送信する場合とは、画像形成装置２００の表示／操作部２０６に表示される更新確認ボタンがユーザによって押下された場合や、画像形成装置２００に予め設定されているタイミングで自動的に更新確認の要求が送られる場合である。
【０２５４】
このような時期に、プロキシサーバ４００は、更新確認機能８０５を行わせることができる。
【０２５５】
次に、プロキシサーバ４００の更新確認機能８０５がお勧めＵＲＬリストのＷｅｂコンテンツの更新確認を行う方法について説明を行なう。
【０２５６】
更新確認機能８０５は、Ｗｅｂ機能８０４によりＷｅｂサーバ４から受信するＨＴＴＰヘッダのLast-Modifiedフィールドの値に基づき、Ｗｅｂコンテンツが更新されているかどうかを確認することができる。Last-Modifiedフィールドには、最終更新日時が記載されているので、更新確認機能８０５は、お勧めＵＲＬリストのＷｅｂコンテンツが更新された日時を記憶部４０３に記憶しておき、その日時とLast-Modifiedフィールドで取得する最終更新日時とを比較することで、新たに更新されたか否かを確認することができる。
【０２５７】
また、更新確認機能８０５は、お勧めＵＲＬリストのＷｅｂコンテンツを管理するＷｅｂサーバ４に対して、If-Modified-Sinceフィールドを含んだリクエストを送り、それに対するＷｅｂサーバ４からの返事に基づき、Ｗｅｂコンテンツが指定の日時より更新されたか否かを確認することができる。  例えば、更新確認機能８０５は、If-Modified-Sinceフィールドに指定の日時を記述してＷｅｂサーバ４に送り、その返事が「200 OK」である場合にはその指定の日時以降に更新が行なわれたと確認でき、また、その返事が「304 Not Modified」である場合にはその指定の日時以降には更新されていないと確認できる。
【０２５８】
また、更新確認機能８０５は、ＦＴＰコマンドであるＬＩＳＴコマンドやＮＬＳＴコマンドを使用してファイル属性情報を取得し、ファイル属性情報にファイル更新日時やファイルサイズが含まれている場合にはそれらの情報に基づき更新されているか否かを確認することができる。  例えば、ファイル属性情報にファイル更新日時が含まれていた場合には、前回の更新確認時に取得したファイル更新日時と比較して変化があった場合には、新たに更新が行なわれたと判断され、また、ファイル属性情報にファイルサイズが含まれている場合には、前回の更新確認時に取得したファイルサイズと比較して変化があった場合には、新たに更新が行なわれたと判断される。
【０２５９】
また、更新確認機能８０５は、ＲＳＳを利用して、お勧めＵＲＬリストのＷｅｂコンテンツが更新されているか否かを確認することができる。
【０２６０】
ＲＳＳで記述された文書には、Ｗｅｂコンテンツ（Ｗｅｂサイト）の各ページのタイトル、アドレス、見出し、要約、更新時刻などが記述される。よって、お勧めＵＲＬリストに含まれるＷｅｂコンテンツ（Ｗｅｂサイト）のＲＳＳ情報を取得することにより、そのＷｅｂコンテンツ（Ｗｅｂサイト）が更新されたか否かを確認することが出来る。  具体的には、お勧めＵＲＬリストに含まれるＷｅｂコンテンツ（Ｗｅｂサイト）から送られるＲＳＳフィードに基づき、そのＲＳＳフィードに前回とは異なる新しいタイトルが含まれている場合に、そのＷｅｂコンテンツ（Ｗｅｂサイト）が更新されたものと確認することができる。
【０２６１】
このような方法により、更新確認機能８０５は、お勧めＵＲＬリストのＷｅｂコンテンツ（Ｗｅｂサイト）の更新を確認することができる。
【０２６２】
図８に示す印刷機能８０６は、Ｗｅｂコンテンツを画像形成装置２００に印刷させる際に、Ｗｅｂコンテンツをプリンタドライバ４０４でＰＤＬデータに変換して画像形成装置２００に送信する。
【０２６３】
次に、コンテンツ自動印刷システム１０で行なわれる処理について、図９を参照して説明を行なう。
【０２６４】
図９は、コンテンツ自動印刷システム１０で行われる処理について示したフローチャートである。
【０２６５】
図９に示すように、コンテンツ自動印刷システム１０では、ＰＣ（１００）で、ユーザが所望のＷｅｂコンテンツを閲覧するためにそのＷｅｂコンテンツのＵＲＬの指定が行なわれる（ステップ９０１）。
【０２６６】
ＰＣ（１００）でＵＲＬの指定が行なわれると（ステップ９０１）、そのＵＲＬとＰＣ（１００）にログインしているユーザのユーザ識別情報（或いはＰＣ（１００）の端末識別情報）がプロキシサーバ４００に送られる。
【０２６７】
プロキシサーバ４００は、ＰＣ（１００）より受信したＵＲＬに基づきインターネット２上のそのＵＲＬにアクセスして、そのＵＲＬのＷｅｂコンテンツのデータ（ＨＴＭＬ文書やファイル等）を取得する（ステップ９０２）。
【０２６８】
プロキシサーバ４００は、ステップ９０２で取得したＷｅｂコンテンツのデータ（ＨＴＭＬ文書やファイル等）をＰＣ（１００）に送り、そして、ＰＣ（１００）では、送られたＷｅｂコンテンツのデータ（ＨＴＭＬ文書やファイル等）がＷｅｂブラウザ１０７で開かれてユーザが指定したＵＲＬのＷｅｂコンテンツが表示部１０１に表示される（ステップ９０３）。
【０２６９】
プロキシサーバ４００では、ステップ９０２で取得したＷｅｂコンテンツのデータに基づいて特徴語抽出機能８０２が特徴語を抽出する（ステップ９０４）。
【０２７０】
そして、プロキシサーバ４００は、抽出した特徴語とＰＣ（１００）から送られたユーザ識別情報（或いはＰＣ（１００）の端末識別情報）をコンテンツデータベースサーバ３００に送信する（ステップ９０５）。
【０２７１】
コンテンツデータベースサーバ３００は、プロキシサーバ４００から送られた特徴語に基づいてお勧めＵＲＬリスト作成機能３５１がお勧めＵＲＬリストを作成する（ステップ９０７）。
【０２７２】
コンテンツデータベースサーバ３００のお勧めＵＲＬリスト作成機能３５１がお勧めＵＲＬリストを作成する処理については、第１実施例で図２（ｂ）、図５を参照して説明したので、説明を省略する。
【０２７３】
コンテンツデータベースサーバ３００は、お勧めＵＲＬリストを作成すると、プロキシサーバ４００から受信したユーザ識別情報（或いはＰＣ（１００）の端末識別情報）と共に作成したお勧めＵＲＬリストをプロキシサーバ４００に送信する（ステップ９０８）。
【０２７４】
プロキシサーバ４００は、ユーザ識別情報（或いはＰＣ（１００）の端末識別情報）とお勧めＵＲＬリストを受信すると（ステップ９０９）、ユーザ毎（或いは端末毎）に受信したお勧めＵＲＬリストを記憶部４０３に記憶する（ステップ９１０）。
【０２７５】
プロキシサーバ４００は、お勧めＵＲＬリストを記憶部４０３に記憶すると、次のような所定の動作を行なう（ステップ９１１）。
【０２７６】
すなわち、ステップ９１１で行なわれるプロキシサーバ４００の所定の動作の１つは、ステップ９１０で記憶したお勧めＵＲＬリストのＷｅｂコンテンツにプロキシサーバ４００がアクセスし、そのＷｅｂコンテンツを画像形成装置２００に印刷させることである。
【０２７７】
また、ステップ９１１で行なわれるプロキシサーバ４００の所定の動作の１つは、ステップ９１０で記憶したお勧めＵＲＬリストのＷｅｂコンテンツにプロキシサーバ４００がアクセスし、アクセスして取得したＷｅｂコンテンツのデータをＰＤＦファイル等に変換してＰＣ（１００）にメール添付送信するものである。
【０２７８】
また、ステップ９１１で行なわれるプロキシサーバ４００の所定の動作の１つは、ステップ９１０で記憶保存したお勧めＵＲＬリストのＷｅｂコンテンツのサムネイル画像を生成し、そのサムネイル画像が掲載されるＷｅｂページをプロキシサーバ４００が有するＷｅｂサーバを保存するものである。  お勧めＵＲＬリストのＷｅｂコンテンツのサムネイル画像が掲載されるＷｅｂページがプロキシサーバ４００が有するＷｅｂサーバに保存されると、ＰＣ（１００）や画像形成装置２００から、そのページにアクセスが行なわれ、そのページがＰＣ（１００）の表示部１０１や画像形成装置２００の表示／操作部２０６に表示される。  ＰＣ（１００）はＷｅｂブラウザ１０７でプロキシサーバ４００内のＷｅｂサーバにアクセスして、お勧めＵＲＬリストのサムネイル画像を掲載するページにアクセスし、そのページをＷｅｂブラウザ１０７により表示部１０１に表示させる。そして、ＰＣ（１００）を操作するユーザは、表示部１０１に表示されたページより所望のサムネイル画像を選択することにより、選択したサムネイル画像に対応するＷｅｂコンテンツを画像形成装置２００で印刷させることができる。ＰＣ（１００）を操作するユーザが表示部１０１に表示されたページより所望のサムネイル画像を選択して印刷指示した場合には、プロキシサーバ４００は、選択されたサムネイル画像に対応するＷｅｂコンテンツのデータ（ＨＴＭＬ等）をＰＤＬデータに変換して画像形成装置２００に送る。そして、画像形成装置２００で、選択されたサムネイル画像に対応するＷｅｂコンテンツの印刷が行われる。また、画像形成装置２００は、Ｗｅｂ機能２５４によってプロキシサーバ４００内のＷｅｂサーバにアクセスして、お勧めＵＲＬリストのサムネイル画像を掲載するページにアクセスして、そのページを表示／操作部２０６に表示させる。  そして、画像形成装置２００を操作するユーザが表示／操作部２０６に表示されたページより所望のサムネイル画像を選択して印刷指示した場合には、プロキシサーバ４００は、選択されたサムネイル画像に対応するＷｅｂコンテンツのデータ（ＨＴＭＬ等）をＰＤＬデータに変換して画像形成装置２００に送る。そして、画像形成装置２００で、選択されたサムネイル画像に対応するＷｅｂコンテンツの印刷が行われる。  尚、プロキシサーバ４００が有するＷｅｂサーバに、お勧めＵＲＬリストのＷｅｂコンテンツのサムネイル画像が掲載されるＷｅｂページが保存されるのではなく、お勧めＵＲＬリストのＷｅｂコンテンツのタイトル等が記載されるＷｅｂページが保存されてもよい。
【０２７９】
また、ステップ９１１で行なわれる画像形成装置２００の所定の動作の１つは、ステップ９１０で記憶保存したお勧めＵＲＬリストをプロキシサーバ４００が有する電子メールソフトで電子メールに記載してＰＣ（１００）に送るものである。  その際、電子メールが送られたＰＣ（１００）を操作するユーザは、上述したように、ＰＣ（１００）のブラウザ１０７に表示されるプロキシサーバ４００が有するＷｅｂサーバ上のページよりサムネイル画像等を確認して所望のＷｅｂコンテンツを指定することができ、その際、画像形成装置２００で、指定されたＷｅｂコンテンツの印刷が行われる。  また、電子メールでお勧めＵＲＬリストを受信したＰＣ（１００）を操作するユーザは、画像形成装置２００まで出向いて、上述したように、画像形成装置２００の表示／操作部２０６に表示されるプロキシサーバ４００が有するＷｅｂサーバ上のページよりサムネイル画像等を確認して所望のＷｅｂコンテンツを指定することができ、その際、画像形成装置２００で、指定されたＷｅｂコンテンツの印刷が行われる。
【０２８０】
また、ステップ９１１で行なわれるプロキシサーバ２００の所定の動作に関連して、プロキシサーバ４００が有するＷｅｂサーバにアクセスしてきたクライアントがモバイルデバイスかパーソナルコンピュータかに応じて、Ｗｅｂサーバで表示するお勧めＵＲＬリストの表示形式を異ならせることができる。  例えば、アクセスしてきたクライアントがモバイルデバイスである場合には、お勧めＵＲＬリストを簡易的なテキストベースのＵＲＬリストとして表示するようにし、アクセスしてきたクライアントがパーソナルコンピュータである場合には、お勧めＵＲＬリストをＷｅｂコンテンツのサムネイル画像を含んで、モバイルデバイスに対する表示に比べて表示画面のデータ容量を多く使ってユーザに見やすいリッチな表示画面で表示するようにすることができる。
【０２８１】
このようなステップ９１１で行なわれるプロキシサーバ４００の所定の動作については、予めプロキシサーバ４００で、どの所定の動作を行なうようにするかの設定が可能であり、また、プロキシサーバ４００が有するＷｅｂサーバにアクセスするＰＣ（１００）や画像形成装置２００から、どの所定の動作を行なうようにするかの設定が可能である。
【０２８２】
また、このようなステップ９１１で行なわれるプロキシサーバ４００の所定の動作の設定は、ユーザ毎に異なった設定をしてもよい。
【０２８３】
このように、お勧めＵＲＬリストをコンテンツデータベースサーバ３００から受信したプロキシサーバ４００は、ステップ９１１として、予め設定された所定の動作を行う。
【０２８４】
その後、プロキシサーバ４００は、お勧めＵＲＬリスト記憶機能８０３によって記憶したお勧めＵＲＬリストに記載されるＷｅｂコンテンツが更新されているかどうかを確認する処理を更新確認機能８０５が行なう。  更新確認機能８０５がＷｅｂコンテンツの更新の確認を行なう（ステップ９１３の処理を行なう）時期は、図８を参照して更新確認機能８０５を説明する個所で説明した上述のような種々の時期をプロキシサーバ４００に設定することができる。
【０２８５】
ここでは、更新確認機能８０５がＷｅｂコンテンツの更新の確認を行なう時期として、更新確認機能８０５が予め設定された時間に更新の確認を行なう場合を例に説明する。
【０２８６】
プロキシサーバ４００で、ステップ９１１で所定の動作が行なわれた後に、予め設定された時刻になると（ステップ９１２でＹＥＳ）、更新確認機能８０５は、お勧めＵＲＬリスト記憶機能８０３で記憶部４０３に記憶されたお勧めＵＲＬリストのＷｅｂコンテンツが更新されているかどうかを確認する処理を行なう（ステップ９１３）。
【０２８７】
ステップ９１３で更新されているかどうかの確認を行なった結果、Ｗｅｂコンテンツが新たに更新されていないことが確認されると（ステップ９１４でＮＯ）、処理はステップ９１２に戻り、再度、設定された時刻になった後に更新確認機能８０５によって更新確認が行われる。
【０２８８】
また、ステップ９１３で更新されているかどうかの確認を行なった結果、Ｗｅｂコンテンツが新たに更新されていることが確認されると（ステップ９１４でＹＥＳ）、プロキシサーバ４００は、ステップ９１５の処理として、次のような所定の動作を行なう。
【０２８９】
すなわち、ステップ９１５で行なわれるプロキシサーバ４００の所定の動作の１つは、ステップ９１３で更新確認した結果、新たに更新されていると確認されたＷｅｂコンテンツに対してプロキシサーバ４００がアクセスし、そのＷｅｂコンテンツのデータを取得してＰＤＬデータに変換し、変換したＰＤＬデータを画像形成装置２００に送って印刷させるものである。
【０２９０】
また、ステップ９１５で行なわれるプロキシサーバ４００の所定の動作の１つは、ステップ９１３で更新確認した結果、新たに更新されていると確認されたＷｅｂコンテンツに対してプロキシサーバ４００がアクセスし、アクセスして取得したＷｅｂコンテンツのデータをＰＤＦファイル等に変換してＰＣ（１００）にメール添付送信するものである。
【０２９１】
また、ステップ９１５で行なわれるプロキシサーバ４００の所定の動作の１つは、ステップ９１３で更新確認した結果、新たに更新されていると確認されたＷｅｂコンテンツに対してプロキシサーバ４００がアクセスし、アクセスして取得したＷｅｂコンテンツのサムネイル画像を生成し、そのサムネイル画像が掲載されるＷｅｂページをプロキシサーバ４００が有するＷｅｂサーバを保存するものである。  更新されたＷｅｂコンテンツのサムネイル画像が掲載されるＷｅｂページがプロキシサーバ４００が有するＷｅｂサーバに保存されると（このＷｅｂサーバの記憶領域は記憶部４０３で保障され、保存されるＷｅｂページは記憶部４０３に記憶保存される）、ＰＣ（１００）や画像形成装置２００から、そのページにアクセスが行なわれ、そのページがＰＣ（１００）の表示部１０１や画像形成装置２００の表示／操作部２０６に表示される。  ＰＣ（１００）はＷｅｂブラウザ１０７でプロキシサーバ４００内のＷｅｂサーバにアクセスして、更新されたＷｅｂコンテンツのサムネイル画像を掲載するページにアクセスし、そのページをＷｅｂブラウザ１０７により表示部１０１に表示させる。そして、ＰＣ（１００）を操作するユーザは、表示部１０１に表示されたページより所望のサムネイル画像を選択することにより、選択したサムネイル画像に対応するＷｅｂコンテンツを画像形成装置２００で印刷させることができる。ＰＣ（１００）を操作するユーザが表示部１０１に表示されたページより所望のサムネイル画像を選択して印刷指示した場合には、プロキシサーバ４００は、選択されたサムネイル画像に対応するＷｅｂコンテンツのデータ（ＨＴＭＬ等）をＰＤＬデータに変換して画像形成装置２００に送る。そして、画像形成装置２００で、選択されたサムネイル画像に対応するＷｅｂコンテンツの印刷が行われる。また、画像形成装置２００は、Ｗｅｂ機能２５４によってプロキシサーバ４００内のＷｅｂサーバにアクセスして、更新されたサムネイル画像を掲載するページにアクセスして、そのページを表示／操作部２０６に表示させる。  そして、画像形成装置２００を操作するユーザが表示／操作部２０６に表示されたページより所望のサムネイル画像を選択して印刷指示した場合には、プロキシサーバ４００は、選択されたサムネイル画像に対応するＷｅｂコンテンツのデータ（ＨＴＭＬ等）をＰＤＬデータに変換して画像形成装置２００に送る。そして、画像形成装置２００で、選択されたサムネイル画像に対応するＷｅｂコンテンツの印刷が行われる。  尚、プロキシサーバ４００が有するＷｅｂサーバに、お勧めＵＲＬリストのＷｅｂコンテンツのサムネイル画像が掲載されるＷｅｂページが保存されるのではなく、お勧めＵＲＬリストのＷｅｂコンテンツのタイトル等が記載されるＷｅｂページが保存され（記憶部４０３に記憶保存される）てもよい（印刷指示される場合には所望のＷｅｂコンテンツのタイトル等が選択される。）。  また、プロキシサーバ４００が有するＷｅｂサーバに更新されたＷｅｂコンテンツが掲載されるＷｅｂページが保存される（記憶部４０３に記憶保存される）場合に、更新確認されたＷｅｂコンテンツ以外にも、お勧めＵＲＬリストに更新されていないＵ��Ｌがある際には、更新が確認されたＷｅｂコンテンツだけを掲載したＷｅｂページが保存されるようにしてもいいし、また、更新が確認されてないＷｅｂコンテンツを含めたＷｅｂページが保存されるようにしてもいい。
【０２９２】
また、ステップ９１５で行なわれるプロキシサーバ４００の所定の動作の１つは、お勧めＵＲＬリストが新たに更新されたことをプロキシサーバ４００が有する電子メールソフトで電子メールに記載してＰＣ（１００）に送るものである。
【０２９３】
また、ステップ９１５で行なわれるプロキシサーバ４００の所定の動作の１つは、ステップ９１３で更新確認した結果、新たに更新されていると確認されたＷｅｂコンテンツのリストをプロキシサーバ４００が有する電子メールソフトで電子メールに記載してＰＣ（１００）に送るものである。  その際、電子メールが送られたＰＣ（１００）を操作するユーザは、上述したようなＰＣ（１００）のブラウザ１０７に表示されるプロキシサーバ４００が有するＷｅｂサーバに保存されるＷｅｂページより、新たに更新された所望のＷｅｂコンテンツを指定して、指定したＷｅｂコンテンツを画像形成装置２００に印刷させることができる。  また、電子メールでお勧めＵＲＬリストを受信したＰＣ（１００）を操作するユーザは、画像形成装置２００まで出向いて、上述したような画像形成装置２００の表示／操作部２０６に表示されるプロキシサーバが有するＷｅｂサーバに保存されるＷｅｂページより、新たに更新された所望のＷｅｂコンテンツを指定して、指定したＷｅｂコンテンツを画像形成装置２００に印刷させることができる。
【０２９４】
また、ステップ９１５で行なわれるプロキシサーバ４００の所定の動作に関連して、プロキシサーバ４００が有するＷｅｂサーバにアクセスしてきたクライアントがモバイルデバイスかパーソナルコンピュータかに応じて、Ｗｅｂサーバで表示するお勧めＵＲＬリストの表示形式を異ならせることができる。  例えば、アクセスしてきたクライアントがモバイルデバイスである場合には、お勧めＵＲＬリストを簡易的なテキストベースのＵＲＬリストとして表示するようにし、アクセスしてきたクライアントがパーソナルコンピュータである場合には、お勧めＵＲＬリストをＷｅｂコンテンツのサムネイル画像を含んで、モバイルデバイスに対する表示に比べて表示画面のデータ容量を多く使ってユーザに見やすいリッチな表示画面で表示するようにすることができる。
【０２９５】
また、ステップ９１５で行なわれる画像形成装置２００の所定の動作の１つは、プロキシサーバ４００の更新確認機能８０５がＲＳＳを利用してお勧めＵＲＬリストのＷｅｂコンテンツが更新されているか否かを確認する場合に、お勧めＵＲＬリストのＷｅｂコンテンツ（Ｗｅｂサイト）から送られるＲＳＳフィードに新規追加されたものに自動的にアクセスして取得し、その取得したＷｅｂコンテンツを自動的にＰＤＬデータに変換して画像形成装置２００に送信し印刷させることや、或いはお勧めＵＲＬリストのＷｅｂコンテンツ（Ｗｅｂサイト）から送られるＲＳＳフィードに新規追加されたもののＵＲＬをメールに記述して電子メールでＰＣ（１００）に送信することもできる。
【０２９６】
また、ステップ９１５で行なわれる画像形成装置２００の所定の動作の１つは、ステップ９１３で更新確認した結果、新たに更新されていると確認されたＷｅｂコンテンツに対してプロキシサーバ４００がアクセスし、アクセスして取得したそのＷｅｂコンテンツのデータを記憶部４０３に記憶保存するものである。更新されたＷｅｂコンテンツは、記憶部４０３に、そのＷｅｂコンテンツが含まれているお勧めＵＲＬリストに対応するユーザ毎に記憶される。その後、画像形成装置２００からお勧めＵＲＬリストのＷｅｂコンテンツの取得要求がプロキシサーバ４００に送られると、プロキシサーバ４００は、記憶部４０３に記憶したＷｅｂコンテンツのデータを画像形成装置２００に送信する。  また、プロキシサーバ４００は、その際に、お勧めＵＲＬリストに含まれる記憶部４０３に記憶されていないＷｅｂコンテンツにＷｅｂ機能８０４でアクセスしてそのＷｅｂコンテンツデータを取得して、更新を確認して記憶部４０３に記憶したＷｅｂコンテンツのデータに加えて更新が確認されていないＷｅｂコンテンツのデータを画像形成装置２００に送り、結果としてお勧めＵＲＬリストに記載される全てのＷｅｂコンテンツのデータを画像形成装置２００に送るようにしてもよい。そして、プロキシサーバ４００にお勧めＵＲＬリストのＷｅｂコンテンツの取得要求を送った画像形成装置２００は、Ｗｅｂコンテンツのデータをプロキシサーバ４００から受信し、受信したＷｅｂコンテンツのデータを印刷実行部２０７で印刷する。画像形成装置２００がプロキシサーバ４００にお勧めＵＲＬリストのＷｅｂコンテンツの取得要求を送る際には、お勧めＵＲＬリストのＷｅｂコンテンツのデータではなく更新が確認されて記憶部４０３に記憶されるＷｅｂコンテンツのデータだけを要求してもよく、プロキシサーバ４００はその要求に応じて記憶部４０３に記憶されるＷｅｂコンテンツのデータを画像形成装置２００に送る。また、画像形成装置２００がプロキシサーバ４００にお勧めＵＲＬリストのＷｅｂコンテンツの取得要求を送る際には、お勧めＵＲＬリストの全てのＷＥｂコンテンツのデータを要求してもよく、プロキシサーバ４００はその要求に応じたお勧めＵＲＬリストの全てのＷｅｂコンテンツのデータを画像形成装置２００に送る。  また、記憶部４０３に記憶されるＷｅｂコンテンツのデータをプロキシサーバ４００から受信して取得した画像形成装置２００が行なう処理は、上述の受信したＷｅｂコンテンツを印刷する処理以外に、第１実施例のステップ６１５で行なわれる画像形成装置２００が行なう処理として説明した、取得したＷｅｂコンテンツのデータをＰＤＦファイル等に変換してＰＣ（１００）にメール添付送信する処理や、取得したＷｅｂコンテンツのサムネイル画像を生成してＥＷＳ（埋め込みＷｅｂサーバ）を利用して表示／操作部２０６に表示させるようにする処理や（その際サムネイル画像が選択されて印刷される処理はステップ６１５の処理を説明した内容に順ずる）、取得したＷｅｂコンテンツのタイトル等をＥＷＳ（埋め込みＷｅｂサーバ）を利用して表示／操作部２０６に表示させるようにする処理や（その際タイトル等が選択されて印刷される処理等はステップ６１５��処理を説明した内容に順ずる）、お勧めＵＲＬリストが新たに更新されたことを電子メールに記載してＰＣ（１００）に送る処理や、取得したＷｅｂコンテンツのリストを電子メールに記載してＰＣ（１００）に送る処理をすることができる（これらの画像形成装置２００で行なわれる処理の詳細は、第１実施例のステップ６１５で行なわれる処理として説明した内容に順ずる。）。
【０２９７】
このようなステップ９１５で行なわれるプロキシサーバ４００の所定の動作については、予めプロキシサーバ４００で、どの所定の動作を実行させるかの設定が可能であり、また、プロキシサーバ４００が有するＷｅｂサーバにアクセスするＰＣ（１００）や画像形成装置２００から、どの所定の動作を行なうようにするかの設定が可能である。
【０２９８】
また、このようなステップ９１５で行なわれるプロキシサーバ４００の所定の動作の設定は、ユーザ毎に異なった設定をしてもよい。
【０２９９】
このように、お勧めＵＲＬリストが新たに更新されたことを確認した場合には（ステップ９１４でＹＥＳ）、ステップ９１５の処理として、予め設定された所定の動作を行う。  尚、プロキシサーバ４００の特徴語抽出機能８０２が印刷データから特徴語を抽出する際に、記憶部４０３に、ユーザ毎（ゲスト扱いを含める。また、端末毎とすることもできる）に特徴語の履歴を記憶し、その特徴語の履歴に基づいてコンテンツデータベースサーバ３００に送る特徴語を決定してもよい。  例えば、「１０ジョブ単位」「１日単位」など、ある一定の期間に各ユーザが印刷指示した印刷データより抽出した特徴語を特徴語履歴として記憶しておき、その特徴語履歴を集計することにより、コンテンツデータベースサーバ３００に送る特徴語を決定する。  また、ユーザ毎（ゲスト扱いを含める。また、端末毎とすることもできる。）に特徴語の履歴を記憶して、その履歴に基づいてコンテンツデータベースサーバ３００に送る特徴語を決定する場合に、「１０ジョブ単位」「１日単位」などの一定の期間が経過すると、前回経過した一定の期間に蓄積した特徴語の履歴は一度削除して、今回経過した一定の期間に蓄積した特徴語に基づいて、コンテンツデータベースサーバ３００に送る特徴語を決定してもよい。このように構成することにより、ユーザ（端末毎の場合には端末）の近々の特定の期間における嗜好性の傾向を踏まえた特徴語の決定が行われる。  また、ユーザ毎（ゲスト扱いを含める。また、端末毎とすることもできる。）に特徴語の履歴を記憶して、その履歴に基づいてコンテンツデータベースサーバ３００に送る特徴語を決定する場合に、「１０ジョブ単位」「１日単位」などの一定の期間が経過しても、前回経過した一定の期間までに蓄積した特徴後の履歴を削除せずに、今回経過した一定の期間に蓄積した特徴語と前回経過した一定の期間までに蓄積した特徴語とに基づいて、コンテンツデータベースサーバ３００に送る特徴語を決定してもよい。このように構成することにより、ユーザ（端末毎の場合には端末）の長期にわたる嗜好性の傾向を踏まえた特徴語の決定が行われる。そして、その際、どの期間の蓄積された特徴語を削除するかは任意に設定できるものとする。
【０３００】
尚、お勧めＵＲＬリスト記憶機能８０３は、Ｗｅｂコンテンツを印刷指示したユーザ毎にお勧めＵＲＬリストを記憶保存するように説明したが、ユーザ毎だけでなく、Ｗｅｂコンテンツの印刷データを送信した端末毎（パーソナルコンピュータ毎）にお勧めＵＲＬリストを記憶保存するように構成することもできる。その際には、ＰＣ（１００）からプロキシサーバ４００に、ＵＲＬの指定とともにＰＣ（１００）を識別する識別情報が送られ、また、プロキシサーバ４００からコンテンツデータベースサーバ３００に送られる特徴語にその識別情報が付与され、また、コンテンツデータベースサーバ３００からプロキシサーバ４００に送られるお勧めＵＲＬリストにその識別情報が付与され、プロキシサーバ４００は受信したお勧めＵＲＬリストをその識別情報毎（端末毎）に記憶部４０３に記憶保存する。
【０３０１】
尚、お勧めＵＲＬリスト記憶機能８０３が保存するお勧めＵＲＬリストのＷｅｂコンテンツの更新が確認される処理として、画像形成装置２００による更新確認だけでなく、ＰＣ（１００）で更新確認が行われるようにすることもできる。  その際には、お勧めＵＲＬリスト記憶機能２５３が保存するお勧めＵＲＬリストがＰＣ（１００）に送信され、ＰＣ（１００）の記憶部１０６に記憶される。  そして、ＰＣ（１００）の記憶部１０６に記憶されて制御部１０４によって制御されてＰＣ（１００）の動作中に常駐される更新確認ソフトが、お勧めＵＲＬリストのＷｅｂコンテンツが更新されていないかを予め設定された時刻（日時でもいい）に確認する（予め設定された時間毎に定期的に確認してもよい。）。  ＰＣ（１００）の更新確認ソフトがＷｅｂコンテンツが更新されていることを確認すると、ＰＣ（１００）では、表示部１０１に、お勧めＵＲＬリストのＷｅｂコンテンツが更新されたことを示すポップアップ表示が表示される。  ＰＣ（１００）のユーザは、表示部１０１に表示されるポップアップ表示により、お勧めＵＲＬリストのＷｅｂコンテンツが更新されたことを確認した後に、そのＷｅｂコンテンツを印刷するかどうかを決めることができる。
【０３０２】
尚、お勧めＵＲＬリスト記憶機能８５３が保存するお勧めＵＲＬリストのＷｅｂコンテンツの更新が確認される処理として、インターネット上に存在するＷｅｂサーバ４側或いはＦＴＰサーバ５側がＷｅｂコンテンツが更新された時点でプロキシサーバ４００に更新確認の事実を送信するようにすることもできる。  その際には、もちろん、Ｗｅｂサーバ４或いはＦＴＰサーバ５に、Ｗｅｂコンテンツが更新された時点で更新確認の事実をプロキシサーバ４００に送信するプログラムが記憶されて実行される。
【０３０３】
尚、コンテンツ自動印刷システム１０は、プロキシサーバ４００で抽出した特徴語がコンテンツデータベースサーバ３００に送信されて、コンテンツデータベースサーバ３００がその特徴語に基づきお勧めＵＲＬリストを作成するように説明したが、プロキシサーバ４００が特徴語を抽出した後に、プロキシサーバ４００が、Ｗｅｂ機能８０４を使用して、抽出した特徴語をインターネット２上の検索エンジン（例えば、Google、Yahoo）に入力して検索を行い、その結果検索されたＵＲＬをお勧めＵＲＬとしてお勧めＵＲＬリストを作成することも出来る。  その際には、検索エンジンで検索された結果の上位から所定の数のＵＲＬをお勧めＵＲＬとしてお勧めＵＲＬリストを作成することも出来る。
【０３０４】
尚、図９のステップ９１１やステップ９１５の処理で、画像形成装置２００やＰＣ（１００）を操作するユーザからの指示によりＷｅｂコンテンツが印刷された場合に、そのユーザや印刷されたＷｅｂコンテンツをＨＤＤ２０５或いはＰＣ（１００）の記憶部１０５或いはコンテンツデータベースサーバ３００の記憶部３０２或いはプロキシサーバ４００の記憶部４０３に記憶しておき、その記憶した情報を、そのユーザの次回のお勧めＵＲＬの表示や、或いはコンテンツデータベースサーバ３００の記憶部３００に記憶されるデータベースの更新に活用することもできる。ユーザの次回のお勧めＵＲＬの表示に活用する場合には、例えば、ＥＷＳ等によりそのユーザのお勧めＵＲＬリストを表示する場合に（メールでのお勧めＵＲＬリストの通知の場合も含む）、そのユーザにより印刷指示されてＨＤＤ２０５等に記憶されたＷｅｂコンテンツを優先的に目立つ場所に表示する（リスト表示の上位に表示する）。また、データベースの更新に活用する場合には、まず、そのユーザにより印刷指示されてＨＤＤ２０５や記憶部４０３等に記憶されたＷｅｂコンテンツから画像形成装置２００の特徴語抽出機能２５２（記憶部４０３に記憶されたＷｅｂコンテンツに対しては特徴語抽出機能８０２）が複数の特徴語を抽出する。そして、抽出された特徴語に対応するお勧めＵＲＬがコンテンツデータベース３００のデータベースに記録されていない場合には、そのユーザにより印刷指示されてＨＤＤ２０５や記憶部４０３等に記憶されたＷｅｂコンテンツをその抽出された特徴語に対応するお勧めＵＲＬとしてデータベースに記録することにより、データベースを更新する。
【０３０５】
尚、図８を参照して説明した更新確認機能８０５が更新確認を行なう時期に更新確認機能８０５がお勧めＵＲＬの更新確認を行なって新たに更新されたことが確認された場合に、図９を参照して説明したステップ９１５で行なわれるプロキシサーバ４００の所定の動作として説明した各々の動作が行なわれるようにすることもできる。
【０３０６】
尚、プロキシサーバ４００は、Ｗｅｂコンテンツを画像形成装置２００に印刷させるに際して、ＷｅｂコンテンツのＨＴＭＬ文書をＰＤＬデータに変換して画像形成装置２００に送るような構成であると説明したが、画像形成装置２００にＷｅｂコンテンツのデータ（ＨＴＭＬ文書等）を直接解釈できるプログラムが設定されている場合には、プロキシサーバ４００は、ＷｅｂコンテンツのＨＴＭＬ文書をＰＤＬに変換せずにそのまま画像形成装置２００に送信することができる。
【０３０７】
尚、お勧めＵＲＬリスト記憶機能８０３は、ユーザが印刷指示したＷｅｂコンテンツの特徴語に基づいて作成されたお勧めＵＲＬリストが記憶されるように説明したが、作成されたお勧めＵＲＬリストにそのユーザが印刷指示したＷｅｂコンテンツのＵＲＬを加えて記憶するようにしてもよい。
【産業上の利用可能性】
【０３０８】
この発明は、コンテンツ自動更新システムおよび画像形成装置およびプロキシサーバにおいて利用可能である。
【符号の説明】
【０３０９】
１    コンテンツ自動印刷システム
２    インターネット
３    通信回線
４    Ｗｅｂサーバ
５    ＦＴＰサーバ
１００    ＰＣ
１０６    プリンタドライバ
１０７    Ｗｅｂブラウザ
２００    画像形成装置
２０５    ＨＤＤ
２０６    表示／操作部
２５１    コンテンツ情報取得機能
２５２    特徴語抽出機能
２５３    お勧めＵＲＬリスト記憶機能
２５４    Ｗｅｂ機能
２５５    更新確認機能
３００    ゴンテンツデータベースサーバ
３０３    記憶部
１０    コンテンツ自動印刷システム
４００    プロキシサーバ
４０３    記憶部
４０４    プリンタドライバ
８０１    コンテンツ情報取得機能
８０２    特徴語抽出機能
８０３    お勧めＵＲＬリスト記憶機能
８０４    Ｗｅｂ機能
８０５    更新確認機能
８０６    印刷機能
【図１】
0005703818.tif 000002
【図２】
0005703818.tif 000003
【図３】
0005703818.tif 000004
【図４】
0005703818.tif 000005
【図５】
0005703818.tif 000006
【図６】
0005703818.tif 000007
【図７】
0005703818.tif 000008
【図８】
0005703818.tif 000009
【図９】
0005703818.tif 000010